(57)【特許請求の範囲】
【請求項１】
通信システム内におけるパーソナルコンピューティングシステムおよび無線通信デバイスによる方法であって、前記方法は、
通信システムと通信的に結合されたサーバによって、メッセージングステータス更新を無線通信デバイスおよびパーソナルコンピューティングシステムのうちの少なくとも一方から受信することであって、前記メッセージングステータス更新は、前記無線通信デバイスが前記パーソナルコンピューティングシステムと充電配置にあることと、前記無線通信デバイスが無線通信ネットワークを介して１つ以上のメッセージの少なくとも一部を受信していないことと、前記１つ以上のメッセージの少なくとも一部が前記パーソナルコンピューティングシステムによって前記無線通信デバイスに転送されることとを示す、ことと、
前記メッセージングステータス更新を受信することに応答して、前記サーバによって、前記無線通信ネットワークを介する、前記無線通信デバイスによる受信を対象とする前記１つ以上のメッセージの少なくとも一部の伝送を抑止することと
を含む、方法。
【請求項２】
前記１つ以上のメッセージは、１つ以上の電子メールメッセージを含み、前記抑止することは、
前記サーバによって、前記メッセージングステータス更新を受信することに応答して、前記サーバによって、前記無線通信ネットワークを介する、前記無線通信デバイスによる受信を対象とする１つ以上の電子メールメッセージの少なくとも一部の伝送を抑止することをさらに含む、請求項１に記載の方法。
【請求項３】
前記メッセージングステータス更新は、前記無線通信デバイスが前記パーソナルコンピューティングシステムと充電配置にあることと、前記無線通信デバイスが前記無線通信ネットワークを介して１つ以上の電子メールメッセージの少なくとも一部を受信していないことと、前記１つ以上の電子メールメッセージの少なくとも一部が前記パーソナルコンピューティングシステムによって前記無線通信デバイスに転送されることとを示す、請求項１または２のいずれかに記載の方法。
【請求項４】
前記メッセージングステータス更新は、前記無線通信デバイスおよび前記パーソナルコンピューティングシステムのうちの少なくとも一方が前記サーバに関連付けられたアカウントに関連付けられていることを示す情報を含み、前記１つ以上のメッセージの少なくとも一部は、前記アカウントに関連付けられており、前記抑止することは、
前記サーバによって、前記メッセージングステータス更新を受信することに応答して、前記サーバによって、前記無線通信ネットワークを介する、前記アカウントに関連付けられ、前記無線通信デバイスによる受信を対象とする前記１つ以上のメッセージの少なくとも一部の伝送を抑止することをさらに含む、請求項１、２、または３のいずれかに記載の方法。
【請求項５】
前記メッセージングステータス更新を受信することに応答して、前記サーバに関連付けられたメッセージ同期データベースにおいて、前記無線通信デバイスに関連付けられたメッセージングステータス記録を更新することにより、前記無線通信デバイスが前記無線通信ネットワークを介して前記サーバに関連付けられたアカウントに関連付けられた１つ以上のメッセージの少なくとも一部を受信していないことと、前記１つ以上のメッセージの少なくとも一部が前記パーソナルコンピューティングシステムによって前記無線通信デバイスに転送されることとを示すことをさらに含む、請求項１、２、３、または４のいずれかに記載の方法。
【請求項６】
前記メッセージングステータス更新を受信することに応答して、前記サーバに関連付けられたメッセージ同期データベースにおいて、前記無線通信デバイスに関連付けられたメッセージングステータス記録を更新することにより、前記無線通信デバイスが前記無線通信ネットワークを介して１つ以上のメッセージの少なくとも一部を受信していないことと、前記１つ以上のメッセージの少なくとも一部が前記パーソナルコンピューティングシステムによって前記無線通信デバイスに転送されることとを示すことをさらに含む、請求項１から５のいずれかに記載の方法。
【請求項７】
前記メッセージ同期データベースにおいて更新することは、前記メッセージ同期データベースにおいて、前記パーソナルコンピューティングシステムに関連付けられたメッセージングステータス記録を更新することにより、前記無線通信デバイスが前記無線通信ネットワークを介して１つ以上のメッセージの少なくとも一部を受信していないことと、前記１つ以上のメッセージの少なくとも一部が前記パーソナルコンピューティングシステムによって前記無線通信デバイスに転送されることとを示すことを含む、請求項６に記載の方法。
【請求項８】
前記無線通信デバイスが前記パーソナルコンピューティングシステムと充電配置にあり、前記無線通信デバイスが前記無線通信ネットワークを介して１つ以上のメッセージの少なくとも一部を受信しておらず、前記１つ以上のメッセージの少なくとも一部が前記パーソナルコンピューティングシステムによって前記無線通信デバイスに転送されるという決定に応答して、前記パーソナルコンピューティングシステムが、短距離無線通信を介して、前記パーソナルコンピューティングシステムから前記無線通信デバイスに、前記１つ以上のメッセージの少なくとも一部を無線で伝送することによって、前記１つ以上のメッセージの少なくとも一部を前記無線通信デバイスに転送することをさらに含む、請求項１から７のいずれかに記載の方法。
【請求項９】
前記無線通信デバイスは、携帯電話を備えている、請求項１から８のいずれかに記載の方法。
【請求項１０】
通信システムであって、
サーバと、
第１の通信ネットワークおよび無線通信ネットワークであって、前記第１の通信ネットワークおよび前記無線通信ネットワークのうちの少なくとも一方は、前記サーバと通信的に結合されている、第１の通信ネットワークおよび無線通信ネットワークと、
前記第１の通信ネットワークおよび前記無線通信ネットワークのうちの少なくとも一方と通信的に結合されているパーソナルコンピューティングシステムと、
前記無線通信ネットワークと通信的に結合されている無線通信デバイスと
を備え、
前記サーバは、
前記パーソナルコンピューティングシステムおよび前記無線通信デバイスのうちの一方に関連付けられたメッセージングステータス更新に応答して、前記無線通信ネットワークを介する、前記パーソナルコンピューティングシステムおよび前記無線通信デバイスのうちの一方による受信を対象とする１つ以上のメッセージの少なくとも一部の伝送を抑止するように構成されており、
前記メッセージングステータス更新は、前記パーソナルコンピューティングシステムおよび前記無線通信デバイスのうちの一方が前記パーソナルコンピューティングシステムおよび前記無線通信デバイスの他方と充電配置にあることと、前記パーソナルコンピューティングシステムおよび前記無線通信デバイスのうちの一方が前記無線通信ネットワークを介して前記１つ以上のメッセージの少なくとも一部を受信していないことと、前記１つ以上のメッセージの少なくとも一部が前記パーソナルコンピューティングシステムおよび前記無線通信デバイスのうちの一方に前記パーソナルコンピューティングシステムおよび前記無線通信デバイスの他方によって転送されることとを示す、システム。
【請求項１１】
前記無線通信デバイスは、携帯電話を備えている、請求項１０に記載のシステム。
【請求項１２】
前記１つ以上のメッセージは、１つ以上の電子メールメッセージを備えている、請求項１０または１１のいずれかに記載のシステム。
【請求項１３】
前記無線通信デバイスは、第１の短距離無線通信送受信機を備え、前記パーソナルコンピューティングシステムは、第２の短距離無線通信送受信機を備え、前記第１の短距離無線通信送受信機と前記第２の短距離無線通信送受信機とは、その間で短距離無線通信可能であり、前記無線通信デバイスと前記パーソナルコンピューティングシステムとの間で少なくとも１つの情報信号を交換し、
前記無線通信デバイスは、
前記無線通信デバイスが前記パーソナルコンピューティングシステムと無線充電配置にあるかどうか決定することと、
前記無線通信デバイスが前記パーソナルコンピューティングシステムと無線充電配置にあるという決定に応答して、前記第１の短距離無線通信送受信機と前記第２の短距離無線通信送受信機との間に短距離無線通信を確立し、それによって、前記無線通信ネットワークを介して前記１つ以上のメッセージの少なくとも一部を受信していない前記パーソナルコンピュータおよび前記無線通信デバイスのうちの一方に、前記１つ以上のメッセージの少なくとも一部のコピーを伝達することと
を行うように構成されている、請求項１０、１１、または１２のいずれかに記載のシステム。
【請求項１４】
前記サーバ、前記パーソナルコンピューティングシステム、前記無線通信デバイスのうちの少なくとも１つに通信的に結合されている少なくとも１つのメッセージ同期データベースをさらに備え、前記少なくとも１つのメッセージ同期データベースは、前記パーソナルコンピューティングシステムおよび前記無線通信デバイスのうちの一方に関連付けられた少なくとも１つのメッセージングステータス記録を記憶し、前記メッセージングステータス記録は、前記無線通信デバイスが前記パーソナルコンピューティングシステムと無線充電配置にあるかどうかを示す情報を含む、請求項１０から１３のいずれかに記載のシステム。
【請求項１５】
少なくとも１つのメッセージングステータス記録を記憶している少なくとも１つのメッセージ同期データベースが、前記サーバに通信的に結合され、前記サーバは、
前記無線通信デバイスが前記パーソナルコンピューティングシステムと充電配置にあるかどうかを示すメッセージングステータス更新を前記無線通信デバイスおよび前記パーソナルコンピューティングシステムのうちの少なくとも一方から受信することと、
前記メッセージングステータス更新を受信することに応答して、メッセージングステータス情報を少なくとも１つのメッセージステータス記録内に記憶することであって、前記少なくとも１つのメッセージステータス記録内に記憶された前記メッセージングステータス情報は、前記無線通信デバイスが前記パーソナルコンピューティングシステムと充電配置にあるかどうかを示し、さらに、前記パーソナルコンピューティングシステムおよび前記無線通信デバイスのうちの一方が前記無線通信ネットワークを介して前記１つ以上のメッセージの少なくとも一部を受信していないかどうかを示し、さらに、前記１つ以上のメッセージの少なくとも一部が前記パーソナルコンピューティングシステムおよび前記無線通信デバイスのうちの一方に前記パーソナルコンピューティングシステムおよび前記無線通信デバイスの他方によって転送されるかどうかを示す、ことと、
前記パーソナルコンピューティングシステムおよび前記無線通信デバイスのうちの一方に関連付けられた少なくとも１つのメッセージングステータス記録に記憶されたメッセージングステータス情報が、前記無線通信デバイスが前記パーソナルコンピューティングシステムと充電配置にあることと、前記パーソナルコンピューティングシステムおよび前記無線通信デバイスのうちの一方が前記無線通信ネットワークを介して前記１つ以上のメッセージの少なくとも一部を受信していないことと、さらに、前記１つ以上のメッセージの少なくとも一部が前記パーソナルコンピューティングシステムおよび前記無線通信デバイスのうちの一方に前記パーソナルコンピューティングシステムおよび前記無線通信デバイスの他方によって転送されることとを示すという決定に応答して、前記無線通信ネットワークを介する、前記パーソナルコンピューティングシステムおよび前記無線通信デバイスのうちの一方による受信を対象とする前記１つ以上のメッセージの少なくとも一部の伝送を抑止することと
を行うようにさらに構成されている、請求項１０から１４のいずれかに記載のシステム。
【発明の詳細な説明】
【技術分野】
【０００１】
本開示は、一般に、電力充電デバイスの再充電可能電源を無線で充電することができる電源デバイスに関し、特に、通信システムにおける、無線通信デバイスの再充電可能電源の無線での充電、および、そのような無線通信デバイスとの同時無線通信に関する。
【背景技術】
【０００２】
多くのタイプのポータブル電子デバイス（例えば、携帯電話、スマートフォン、およびいくつかの種類のポータブルコンピュータ、例えば、タブレットコンピュータまたはラップトップコンピュータ、ならびにいくつかの付属品、例えば、いくつかのヘッドセット）は、データ、例えば、可聴周波数データ、音声データ、画像データ、ビデオデータ、テキストメッセージ、および電子メール、ならびに任意のそれらの組み合わせを、メッセージングサーバによって、１つ以上の無線通信ネットワーク内の長距離無線データ通信リンクを介して交換する。多くのそのようなデバイスは、有線またはケーブル配線された物理的接続を伴わずに、（例えば、別のデバイスまたは基地局と）通信することができ、無線通信デバイスと呼ばれ得る。そのような無線データ通信リンクの一実施例は、セルラー方式データネットワークを含む。無線通信デバイスは、遠隔サーバから、一方向または双方向無線通信プロトコルにおける無線データ通信リンクを介して、メッセージを受信することができる。これらのポータブル電子デバイスのいくつかは、ヒトの手で保持または携行されるように、定寸および成形される、ハンドヘルド式であり得る。
【０００３】
通信デバイスは、ユーザが、多くの場合、２つ以上のそのような通信デバイスを所有するほど、またはその使用権限を有するほど、社会において、非常に遍在的となりつつある。２つ以上の通信デバイスを伴うユーザは、多くの場合、その通信デバイス（可能性として、異なる通信リンクを使用する、異なるデバイス）のすべてにおいて、データを受信および送信する。例えば、ユーザは、随意に、無線モデムを使用して、そのパーソナルラップトップコンピュータ上で電子メールを受信することができ、同時に、また、同一電子メールをその無線携帯電話デバイス上でも受信するであろう。本タイプの重複通信は、不必要または重複あるいは無駄な通信システムおよびデバイスリソースと見なされ得る。
【０００４】
加えて、モバイル無線通信デバイスは、典型的には、再充電可能電力供給装置、例えば、バッテリまたは他の電荷蓄積デバイスを使用して、ローミングの間、特定の固定された電源に拘束されることなく、デバイス動作を可能にする。再充電可能電源、例えば、無線通信デバイス内のバッテリが、枯渇するのに伴って、再充電可能電源は、例えば、ＡＣコンセントに接続される充電器を使用して、デバイスを固定された電源に接続することによって、充電されることができる。これは、１）デバイスのユーザが、無線通信デバイス内の再充電可能電源の充電レベルを監視し、充電が示されているかどうかを決定する必要があり得、および、２）ユーザが、随時、必要に応じて、無線通信デバイスを充電可能にするために、準備し、可能性として、余剰充電設備、例えば、充電器機器および電力ケーブルを携行する必要があり得るので、ユーザにとって、不便をもたらし得る。無線充電パッドは、一部には本タイプの充電器は、無線通信デバイスとの電力ケーブルの相互接続を低減させるのに有用であるので、人気があり得るが、無線充電パッドは、実際問題として、限定された可搬性を有し、比較的大きく、ＡＣコンセントへのアクセスを必要とし得る。
【発明の概要】
【課題を解決するための手段】
【０００５】
一般に、本開示は、２つのポータブル電子デバイス、例えば、２つの無線通信デバイス間の電力の伝達を対象とする。電源デバイス（電力を供給する）および電力充電デバイス（電力を受信する）は、無線充電プロトコルに従って、電力の伝達に従事する。典型的動作では、電源デバイスは、誘導無線電力伝送回路を介して、充電エネルギー信号を誘導的に無線で伝送する。電力充電デバイスは、誘導無線電力受信回路を介して、誘導的に無線で伝送された充電エネルギー信号を無線で受信する。電力充電デバイスは、無線で受信した充電エネルギー信号を電力貯蔵要素、例えば、再充電可能バッテリに伝達する。以下により詳細に論じられるように、電源デバイスは、電力充電デバイスからの受信情報に基づいて、ロック可能ユーザインターフェースへのユーザアクセスを制御可能であり得、無線通信ネットワークから、電力充電デバイスによって受信されるメッセージを表示することができる。
【０００６】
例えば、本発明は、以下を提供する。
（項目１）
通信システム内におけるパーソナルコンピューティングシステムおよび無線通信デバイスによる方法であって、
通信システムと通信的に結合されたサーバによって、メッセージングステータス更新を無線通信デバイスおよびパーソナルコンピューティングシステムのうちの少なくとも１つから受信することであって、前記メッセージングステータス更新は、前記無線通信デバイスが前記パーソナルコンピューティングシステムと充電配置にあるかどうかを示す、ことと、
前記無線通信デバイスが前記パーソナルコンピューティングシステムと充電配置にあることを示す前記無線通信デバイスに関連付けられたメッセージングステータスに応答して、前記サーバによって、無線通信ネットワークを介する、前記無線通信デバイスによる受信を対象とする１つ以上のメッセージの少なくとも一部の伝送を抑止することと
を含む、方法。
（項目２）
前記１つ以上のメッセージは、１つ以上の電子メールメッセージを含み、前記抑止することは、
前記無線通信デバイスが前記パーソナルコンピューティングシステムと充電配置にあり、前記無線通信デバイスが、前記無線通信ネットワークを介して、１つ以上の電子メールメッセージの少なくとも一部を受信していないことを示す前記無線通信デバイスに関連付けられたメッセージングステータスに応答して、前記サーバによって、前記無線通信ネットワークを介する、前記無線通信デバイスによる受信を対象とする１つ以上の電子メールメッセージの少なくとも一部の伝送を抑止することをさらに含む、上記項目に記載の方法。
（項目３）
前記無線通信デバイスおよび前記パーソナルコンピューティングシステムのうちの少なくとも１つからのメッセージングステータス更新は、前記無線通信デバイスが前記パーソナルコンピューティングシステムと充電配置にあり、前記無線通信デバイスが、前記無線通信ネットワークを介して、１つ以上の電子メールメッセージの少なくとも一部を受信していないことを示す、上記項目のいずれかに記載の方法。
（項目４）
前記１つ以上のメッセージの少なくとも一部は、アカウントに関連付けられ、前記抑止することは、
前記無線通信デバイスが前記パーソナルコンピューティングシステムと充電配置にあり、前記無線通信デバイスが、前記無線通信ネットワークを介して、前記アカウントに関連付けられた前記１つ以上のメッセージの少なくとも一部を受信していないことを示す前記無線通信デバイスに関連付けられたメッセージングステータスに応答して、前記サーバによって、伝送前記無線通信ネットワークを介する、前記アカウントに関連付けられ、前記無線通信デバイスによる受信を対象とする前記１つ以上のメッセージの少なくとも一部の伝送を抑止することをさらに含む、上記項目のいずれかに記載の方法。
（項目５）
前記サーバ、前記パーソナルコンピューティングシステム、および前記無線通信デバイスのうちの少なくとも１つに関連付けられたメッセージ同期データベースにおいて、前記無線通信デバイスに関連付けられたメッセージングステータス記録を更新することをさらに含む、上記項目のいずれかに記載の方法。
（項目６）
前記メッセージングステータス更新を前記無線通信デバイスおよび前記パーソナルコンピューティングシステムのうちの少なくとも１つからの受信することに応答して、前記サーバに関連付けられたメッセージ同期データベースにおいて、前記無線通信デバイスに関連付けられたメッセージングステータスを更新することをさらに含む、上記項目のいずれかに記載の方法。
（項目７）
前記メッセージ同期データベースにおいて更新することは、前記メッセージ同期データベースにおいて、前記パーソナルコンピューティングシステムに関連付けられたメッセージングステータスを更新することを含む、上記項目のいずれかに記載の方法。
（項目８）
前記無線通信デバイスが前記パーソナルコンピューティングシステムと充電配置にあることの決定に応答して、短距離無線通信を介して、前記パーソナルコンピューティングシステムから前記無線通信デバイスに、前記１つ以上のメッセージの少なくとも一部を無線で伝送することをさらに含む、上記項目のいずれかに記載の方法。
（項目９）
前記無線通信デバイスは、携帯電話を備えている、上記項目のいずれかに記載の方法。
（項目１０）
通信システムであって、
サーバと、
第１の通信ネットワークおよび無線通信ネットワークであって、前記第１の通信ネットワークおよび前記無線通信ネットワークのうちの少なくとも１つは、前記サーバと通信的に結合されている、第１の通信ネットワークおよび無線通信ネットワークと、
前記第１の通信ネットワークおよび前記無線通信ネットワークのうちの少なくとも１つと通信的に結合されているパーソナルコンピューティングシステムと、
前記無線通信ネットワークと通信的に結合されている無線通信デバイスと
を備え、前記サーバは、
前記パーソナルコンピューティングシステムおよび無線通信デバイスのうちの一方が、前記パーソナルコンピューティングシステムおよび前記無線通信デバイスの他方と充電配置にあり、前記パーソナルコンピューティングシステムおよび前記無線通信デバイスのうちの一方が、前記無線通信ネットワークを介して、前記１つ以上のメッセージの少なくとも一部を受信していないことを示す前記パーソナルコンピューティングシステムおよび前記無線通信デバイスのうちの１つに関連付けられたメッセージングステータスに応答して、前記無線通信ネットワークを介する、前記パーソナルコンピューティングシステムおよび前記無線通信デバイスのうちの少なくとも１つによる受信を対象とする１つ以上のメッセージの少なくとも一部の伝送を抑止するように構成されている、システム。
（項目１１）
前記無線通信デバイスは、携帯電話を備えている、上記項目に記載のシステム。
（項目１２）
前記１つ以上のメッセージは、１つ以上の電子メールメッセージを備えている、上記項目のいずれかに記載のシステム。
（項目１３）
前記無線通信デバイスは、第１の短距離無線通信送受信機を備え、前記パーソナルコンピューティングシステムは、第２の短距離無線通信送受信機を備え、前記第１の短距離無線通信送受信機と前記第２の短距離無線通信送受信機とは、その間で短距離無線通信可能であり、前記無線通信デバイスと前記パーソナルコンピューティングシステムとの間で少なくとも１つの情報信号を交換し、
前記無線通信デバイスは、
前記無線通信デバイスが前記パーソナルコンピューティングシステムと無線充電配置にあるかどうか決定することと、
前記無線通信デバイスが前記パーソナルコンピューティングシステムと無線充電配置にあるという決定に応答して、前記第１の短距離無線通信送受信機と前記第２の短距離無線通信送受信機との間に短距離無線通信を確立し、それによって、前記無線通信ネットワークを介して前記１つ以上のメッセージの少なくとも一部を受信していない前記パーソナルコンピュータおよび前記無線通信デバイスのうちの１つに、前記１つ以上のメッセージの少なくとも一部のコピーを伝達することと
を行うように構成されている、上記項目のいずれかに記載のシステム。
（項目１４）
前記サーバ、前記パーソナルコンピューティングシステム、および前記無線通信デバイスのうちの少なくとも１つに通信的に結合されている少なくとも１つのメッセージ同期データベースをさらに備え、前記少なくとも１つのメッセージ同期データベースは、前記パーソナルコンピューティングシステムおよび前記無線通信デバイスのうちの１つに関連付けられた少なくとも１つのメッセージングステータス記録を記憶し、前記メッセージングステータス記録は、前記無線通信デバイスが、前記パーソナルコンピューティングシステムと無線充電配置にあるかどうかを示す情報を含む、上記項目のいずれかに記載のシステム。
（項目１５）
少なくとも１つのメッセージ同期データベースが、前記サーバに通信的に結合され、前記サーバは、
前記無線通信デバイスが前記パーソナルコンピューティングシステムと充電配置にあるかどうかを示すメッセージングステータス更新を前記無線通信デバイスおよび前記パーソナルコンピューティングシステムのうちの少なくとも１つから受信することと、
前記メッセージングステータス更新を受信することに応答して、メッセージングステータス情報を少なくとも１つのメッセージステータス記録内に記憶することと、
前記無線通信デバイスが前記パーソナルコンピューティングシステムと充電配置にあることを示す前記パーソナルコンピューティングシステムおよび前記無線通信デバイスのうちの１つに関連付けられた少なくとも１つのメッセージングステータス記録に応答して、前記無線通信ネットワークを介する、前記無線通信デバイスによる受信を対象とする１つ以上のメッセージの少なくとも一部の伝送を抑止することと
を行うようにさらに構成されている、上記項目のいずれかに記載のシステム。
【０００７】
（摘要）
パーソナルコンピューティングシステムおよび携帯電話は、充電配置にある間、無線充電プロトコルに従って相互動作する。パーソナルコンピューティングシステムは、携帯電話の電源を無線で充電することができる。パーソナルコンピューティングシステムおよび携帯電話は、通信システム内にある。第１のネットワークおよび無線通信ネットワークに通信的に結合されたサーバは、パーソナルコンピューティングシステムおよび携帯電話が、充電配置にあることの決定に応答して、無線通信ネットワーク内において、パーソナルコンピューティングシステムおよび携帯電話のうちの１つによる受信対象のメッセージの伝送を抑止することができる。
【図面の簡単な説明】
【０００８】
同一参照番号が、別個の図を通して、同じまたは機能的に類似要素を指し、以下の発明を実施するための形態とともに、明細書の一部に組み込まれ、その一部を形成する、付随の図はすべて、本開示に従って、種々の実施形態をさらに例証し、種々の原理および利点を説明する役割を果たす。
【図１】図１は、一実施例による、通信システムを例証する、ブロック図である。
【図２】図２は開放されたラップトップパーソナルコンピュータを例証する、一実施例による、通信デバイスを例証する、ブロック図である。
【図３】図３は、閉鎖されたラップトップパーソナルコンピュータを例証する、図２の通信デバイスの別の図である。
【図４】図４は、ラップトップパーソナルコンピュータの種々の内部構成要素を例証する、図２の通信デバイスの別の図である。
【図５】図５は、通信デバイス、例えば、図２、３、および４に示される、通信デバイスにおいて使用するために好適である、誘導結合コイルの実施例の平面図である。
【図６】図６は、一実施例による、給電誘導コイル回路およびコントローラを例証する、回路ブロック図である。
【図７】図７は、一実施例による、電力充電デバイスに関連付けられた再充電可能電源に電荷を提供するように相互動作する、給電デバイスおよび別個の電力充電デバイスを例証する、ブロック図である。
【図８】図８は、一実施例による、図７の電力充電デバイスのより詳細な図を例証する、ブロック図である。
【図９】図９は、一実施例による、相互に近接し、相互に対して移動可能である、給電デバイスおよび別個の電力充電デバイスを例証する、ブロック図である。
【図１０】図１０は、一実施例による、充電エネルギー信号の電圧と、図９に示される２つのデバイスによって移動される相対距離との関係を例証する、グラフ図である。
【図１１】図１１は、一実施例による、ユーザインターフェースディスプレイの種々の図を示す、ブロック図である。
【図１２】図１２は、一実施例による、３つの充電エネルギー信号に対する、充電エネルギー信号の電圧と充電エネルギー信号周波数との間の関係を例証する、グラフ図である。
【図１３】図１３は、一実施例による、ユーザインターフェースディスプレイ画面の平面図である。
【図１４】図１４から１９は、種々の実施例による、種々の動作フローシーケンスを例証する、フロー図である。
【図１５】図１４から１９は、種々の実施例による、種々の動作フローシーケンスを例証する、フロー図である。
【図１６】図１４から１９は、種々の実施例による、種々の動作フローシーケンスを例証する、フロー図である。
【図１７】図１４から１９は、種々の実施例による、種々の動作フローシーケンスを例証する、フロー図である。
【図１８】図１４から１９は、種々の実施例による、種々の動作フローシーケンスを例証する、フロー図である。
【図１９】図１４から１９は、種々の実施例による、種々の動作フローシーケンスを例証する、フロー図である。
【図２０】図２０は、図１の通信システムにおいて使用可能なメッセージ同期データベースの実施例を示す、ブロック図である。
【発明を実施するための形態】
【０００９】
必要に応じて、詳細な実施形態が、本明細書に開示される。しかしながら、開示される実施形態は、単に、実施例であって、以下に説明されるデバイス、システム、および方法は、種々の形態で具現化することができることを理解されたい。したがって、本明細書に開示される具体的構造および機能的詳細は、限定として解釈されるべきではなく、単に、請求項の基礎として、かつ事実上、任意の適切な詳細構造および機能において、開示される主題を様々に採用するために、当業者に教示するための代表的基礎として、解釈されるべきである。さらに、本明細書で使用される用語および語句は、限定として意図されるものではなく、むしろ、理解可能な説明を提供することを意図するものである。加えて、別様に具体的に表現されるか、または使用の文脈から明白に理解されない限り、本明細書で使用される用語は、その用語の単数形または複数形を説明する。
【００１０】
本明細書で使用される用語「ａ」または「ａｎ」は、１つまたは２つ以上として、定義される。本明細書で使用される用語「複数の（ｐｌｕｒａｌｉｔｙ）」は、２つまたは３つ以上として、定義される。本明細書で使用される用語「別の（ａｎｏｔｈｅｒ）」は、少なくとも、２つ目以上として、定義される。本明細書で使用される用語「含む（ｉｎｃｌｕｄｉｎｇ）」および「有する（ｈａｖｉｎｇ）」は、「備えている（ｃｏｍｐｒｉｓｉｎｇ）」（すなわち、包含的な言葉）として定義される。本明細書で使用される用語「結合される（ｃｏｕｐｌｅｄ）」は、必ずしも、直接ではなく、かつ必ずしも、機械的にではなく、「接続される（ｃｏｎｎｅｃｔｅｄ）」として定義される。「通信的に結合される（ｃｏｍｍｕｎｉｃａｔｉｖｅｌｙ  ｃｏｕｐｌｅｄ）」とは、これらの構成要素が、例えば、有線、無線、または他の通信媒体を通して、相互と通信可能であるような構成要素の結合を指す。用語「通信的に結合される（ｃｏｍｍｕｎｉｃａｔｉｖｅｌｙ  ｃｏｕｐｌｅｄ）」または「通信的に結合する（ｃｏｍｍｕｎｉｃａｔｉｖｅｌｙ  ｃｏｕｐｌｉｎｇ）は、それによって、ある要素が、別の要素を指示または制御し得る、電子制御信号を通信することを含むが、それらに限定されない。用語「するように構成される（ｃｏｎｆｉｇｕｒｅｄ  ｔｏ）」は、所与の機能を行うように、適応される、設定される、配置される、命令される、改変される、修正される、構築される、成る、構造化される、設計される、またはこれらの特性の任意の組み合わせを有する、ハードウェア、ソフトウェア、またはハードウェアおよびソフトウェアの組み合わせを説明する。用語「するように適応される（ａｄａｐｔｅｄ  ｔｏ）」は、所与の機能を行うことが可能である、それに対応可能である、そのように作製する、またはそれに好適である、ハードウェア、ソフトウェア、またはハードウェアおよびソフトウェアの組み合わせを説明する。用語「コントローラ（制御器）」、「コンピュータ（ｃｏｍｐｕｔｅｒ）」、「サーバ（ｓｅｒｖｅｒ）」、「クライアント（ｃｌｉｅｎｔ）」、「コンピュータシステム（ｃｏｍｐｕｔｅｒ  ｓｙｓｔｅｍ）」、「コンピューティングシステム（ｃｏｍｐｕｔｉｎｇ  ｓｙｓｔｅｍ）」、「パーソナルコンピューティングシステム（ｐｅｒｓｏｎａｌ  ｃｏｍｐｕｔｉｎｇ  ｓｙｓｔｅｍ）」、または「処理システム（ｐｒｏｃｅｓｓｉｎｇ  ｓｙｓｔｅｍ）」は、本開示の１つ以上の実施形態を実装するように適応される、好適に構成された処理システムの実施例を説明する。任意の好適に構成された処理システムは、同様に、本開示の実施形態によって使用可能であって、例えば、限定ではないが、パーソナルコンピュータ、ラップトップコンピュータ、タブレットコンピューティングシステム、携帯情報端末、ワークステーション等である。処理システムは、１つ以上の処理システムまたはプロセッサを含み得る。処理システムは、１つの処理システムにおける集中方式において、または異なる要素が、いくつかの相互接続された処理システムにわたって分離される、分散方式において、実現することができる。用語「パーソナルコンピューティングシステム（ｐｅｒｓｏｎａｌ  ｃｏｍｐｕｔｉｎｇ  ｓｙｓｔｅｍ）」は、ユーザインターフェースを含み、本開示の１つ以上の実施形態を実装するために好適に構成および適応される、処理システムを説明する。用語「ネットワーク（ｎｅｔｗｏｒｋ）」、「コンピュータネットワーク（ｃｏｍｐｕｔｅｒ  ｎｅｔｗｏｒｋ）」、「コンピューティングネットワーク（ｃｏｍｐｕｔｉｎｇ  ｎｅｔｗｏｒｋ）」、および「通信ネットワーク（ｃｏｍｍｕｎｉｃａｔｉｏｎ  ｎｅｔｗｏｒｋ）」は、ユーザ間の通信を促進し、ユーザにリソースを供給させる、通信チャネルによって相互接続されたコンピュータおよびデバイスの集合の実施例を説明する。用語「無線ネットワーク（ｗｉｒｅｌｅｓｓ  ｎｅｔｗｏｒｋ）」および「無線通信ネットワーク（ｗｉｒｅｌｅｓｓ  ｃｏｍｍｕｎｉｃａｔｉｏｎ  ｎｅｔｗｏｒｋ）」も同様に、主にまたは全体的に、無線通信媒体によって、コンピュータおよびデバイスを通信的に結合する、ネットワークを説明する。用語「有線ネットワーク」および「有線通信ネットワーク（ｗｉｒｅｄ  ｃｏｍｍｕｎｉｃａｔｉｏｎ  ｎｅｔｏｗｏｒｋ）」も同様に、主にまたは全体的に、有線通信媒体コンピュータおよびデバイスを通信的に結合する、ネットワークを説明する。
【００１１】
種々の実施形態は、１）モバイルデバイスのバッテリの充電を維持すること、２）２つ以上の画面が、ユーザに近接している場合に、１つの共通ディスプレイ画面を利用して、ユーザに着信メッセージをアラートすること、３）携帯電話と充電配置にある場合、パーソナルコンピュータのロック解除を簡略化すること、４）ユーザのオフィスのデスク上の空間を空けること、および、５）モバイルデバイスおよびパーソナルコンピュータの両方に対して、アプリケーション同期を拡張することによって、前述の問題を解決する。新規方法は、統合された無線充電システムを利用して、モバイルデバイスのフル充電を維持することによって、バッテリ寿命経験を改善する。パーソナルコンピュータのスキン下の無線充電コイルは、充電エネルギー信号を携帯電話デバイスに伝送可能である。携帯電話およびパーソナルコンピュータが、充電配置において、相互に近接すると、相乗的通信プロトコルが、２つのデバイス間に確立され、どのユーザインターフェースをメッセージ通信にアクセスするために使用すべきかについて、柔軟性を提供する。携帯電話によって受信されたテキストメッセージおよび電子メールメッセージは、短距離無線通信を介して、パーソナルコンピュータに伝達され、パーソナルコンピュータ内のユーザインターフェースに、メッセージング情報をユーザに提示させることができる。パーソナルコンピュータのユーザインターフェースは、携帯電話のユーザインターフェースのロックステータスに基づいて、例えば、２つのデバイスとユーザとの間のメッセージの通信のために、より効果的にロック解除されることができる。加えて、通信システムは、充電配置にあり、単一ユーザインターフェースを共有する場合に、重複電子メールメッセージが、２つのデバイスに伝送されることを回避することができる。これは、通信システムにおけるデータ処理量を改善し、２つのデバイス内のリソースの利用を改善するのに有用である。本開示のこれらおよびより多くの側面は、以下により詳細に論じられる。
【００１２】
図１に示されるように、通信システム１００は、一実施例では、第１のネットワークＮ１  １０６および第２のネットワークＮ２  １０４と通信的に結合される、ネットワーク運営センター（ＮＯＣ）１０２（また、サーバシステム１０２またはサーバ１０２とも称される）を含む。一実施例では、第１のネットワークＮ１  １０６は、少なくとも１つの無線通信ネットワークを備え、ＮＯＣ１０２は、第１のネットワークＮ１  １０６内の通信を管理するためのサーバシステム１０２を備えている。第２のネットワークＮ２  １０４は、インターネット等の広域ネットワークを備えている。ＮＯＣ１０２は、１つ以上の情報処理システム、メモリ記憶システム、通信インターフェース、ならびに管理および技術者ユーザインターフェースを含む。ＮＯＣ１０２は、本実施例によると、メッセージ同期データベースシステム１１０に通信的に結合される。本メッセージ同期データベースシステム１１０の実施例は、通信システム１００におけるその使用の種々の実施例とともに、図２０を参照して、より詳細に説明される。ＮＯＣ１０２は、本実施例では、メッセージ同期データベースシステム１１０と通信し、以下により詳細に論じられるように、デバイス１１２、１１４間で情報を通信するように一緒にリンクされる、通信システム１００における通信デバイス１１２、１１４を追跡する。
【００１３】
電子メールサーバ１０８は、第２のネットワークＮ２  １０４と通信的に結合される。電子メールサーバ１０８は、一実施例によると、例えば、商業用電子メールシステム、例えば、Ｇｍａｉｌ、ｈｏｔｍａｉｌ、またはインターネット通信を介して、ユーザに利用可能な任意の類似タイプの商業用電子メールサーバシステムによって、提供される、１つ以上の汎用電子メールサーバシステムを備えている。本電子メールサーバ１０８は、種々の実施例によると、随意に、例えば、非公開の企業用電子メールサーバシステム、非公開の行政用電子メールサーバシステム、非公開のユーザ電子メールサーバシステム等内で提供される、非公開の電子メールサーバシステムを備え得る。
【００１４】
随意に、電子メールサーバ１０８は、本実施例では、ＮＯＣ１０２と通信的に結合される、メッセージ同期データベースシステム１１０の実施例に類似し得、図２０を参照して、より詳細に説明される、メッセージ同期データベースシステム１１０’と通信的に結合される。
【００１５】
加えて、サーバ、例えば、ＢｌａｃｋＢｅｒｒｙＴＭ電子メールサーバ１１１は、第２のネットワークＮ２  １０４と通信的に結合される。ＢｌａｃｋＢｅｒｒｙ電子メールサーバ１１１は、ＢｌａｃｋＢｅｒｒｙ無線通信デバイスとの使用のために、Ｒｅｓｅａｒｃｈ  Ｉｎ  Ｍｏｔｉｏｎ，  Ｉｎｃ．から商業的に利用可能な専用の商業用電子メールサーバシステムを備えている。
【００１６】
随意に、ＢｌａｃｋＢｅｒｒｙ電子メールサーバ１１１は、本実施例では、ＮＯＣ１０２と通信的に結合される、メッセージ同期データベースシステム１１０の実施例に類似し得、図２０を参照して、より詳細に説明される、メッセージ同期データベースシステム１１０’’と通信的に結合される。
【００１７】
１つ以上の通信デバイス、例えば、パーソナルコンピュータ１  １１２および携帯電話デバイス１  １１４は、示されるように、無線通信ネットワークＮ１  １０６および広域ネットワークＮ２  １０４と通信的に結合することができる。本実施例では、パーソナルコンピュータ１  １１２は、パーソナルコンピュータ１  １１２を無線通信ネットワークＮ１  １０６に通信的に結合する、無線通信インターフェースを含む。パーソナルコンピュータ１  １１２は、ＮＯＣ１０２と通信する、ネットワークＮ１  １０６、Ｎ２  １０４の一方または両方を介して、メッセージを受信し、メッセージを送信することができる。携帯電話デバイス１  １１４は、本実施例によると、ＮＯＣ１０２と通信する、無線ネットワークＮ１  １０６を介して、無線でメッセージ受信し、無線でメッセージを送信することができる。電子メールサーバ１０８、および随意に、ＢｌａｃｋＢｅｒｒｙ電子メールサーバ１１１は、ネットワークＮ２  １０４を介して、電子メールメッセージを受信し、電子メールメッセージを送信することができる。ＢｌａｃｋＢｅｒｒｙ電子メールサーバ１１１はまた、ＮＯＣ１０２を介して、無線ネットワークＮ１  １０６内で動作する、ＢｌａｃｋＢｅｒｒｙ無線通信デバイス、例えば、携帯電話デバイス１  １１４に、電子メールメッセージを効率的に伝送することができる。
【００１８】
本実施例では、無線通信デバイスは、データ通信能力、および随意に、音声通信能力を伴う、無線双方向通信デバイスを備えている。そのような無線通信デバイスは、好適な無線通信プロトコルを使用して、無線音声またはデータネットワークと通信する。無線音声通信は、アナログまたはデジタル無線通信チャネルのいずれかを使用して、行われる。データ通信は、無線通信デバイスに、例えば、インターネットＮ２  １０４を介して、他のコンピュータシステムと通信させる。前述のシステムおよび方法を組み込むことが可能な無線通信デバイスの実施例は、データメッセージングデバイス、双方向ページャ、データメッセージング能力を伴う携帯電話、無線インターネット機器、あるいは電話能力を含むことも含まないこともあるデータ通信デバイスを含むが、それらに限定されない。
【００１９】
随意に、パーソナルコンピュータ１  １１２は、いずれの場合も、本実施例では、ＮＯＣ１０２と通信的に結合される、メッセージ同期データベースシステム１１０の実施例に類似し得、図２０を参照して、より詳細に説明される、メッセージ同期データベースシステム１１０’’’と通信的に結合され、および／または携帯電話デバイス１  １１４は、メッセージ同期データベースシステム１１０’’’’と通信的に結合される。
【００２０】
図２０を参照すると、メッセージ同期データベース１１０は、本実施例によると、ＮＯＣ１０２によって使用され、とりわけ、通信デバイスメッセージングステータスを追跡する。メッセージ同期データベース１１０は、本実施例では、通信デバイスステータスデータベース２００２およびメッセージステータスデータベース２００４を備えている。
【００２１】
通信デバイスステータスデータベース２００２は、通信デバイスに関連付けられる、データベース記録２００５、２００７、２００９、２０５０を含む。第１のデータベース記録２００５は、携帯電話１  １１４に関連付けられる。第２のデータベース記録２００７は、ＰＣ１  １１２に関連付けられる。第３のデータベース記録２００９は、通信システム１００内の第３の通信デバイス（図示せず）に関連付けられる。他のデータベース記録２０５０も同様に、通信システム１００内の他の通信デバイス（図示せず）に関連付けられる。
【００２２】
通信デバイスステータスデータベース２００２内の各記録２００５、２００７、２００９は、特定の記録２００５、２００７、２００９に関連付けられたそれぞれの通信デバイスを識別する、デバイス識別フィールド２００６、２００８、２０１０を含む。デバイス識別フィールド２００６、２００８、２０１０は、本実施例によると、通信システム１００内のそれぞれの通信デバイスを一意に識別するための識別情報を含む。識別フィールド２００６、２００８、２０１０内の識別子情報は、サーバ１０２に対して特定の通信デバイスを識別するために、任意の一意の識別子情報を備え得る。例えば、無線通信デバイスの場合、識別子情報は、無線通信デバイスのＥｌｅｃｔｒｏｎｉｃ  Ｓｅｒｉａｌ  Ｎｕｍｂｅｒ（ＥＳＮ）、Ｍｏｂｉｌｅ  Ｅｑｕｉｐｍｅｎｔ  Ｉｄｅｎｔｉｆｉｅｒ（ＭＥＩＤ）、Ｉｎｔｅｒｎａｔｉｏｎａｌ  Ｍｏｂｉｌｅ  Ｅｑｕｉｐｍｅｎｔ  Ｉｄｅｎｔｉｔｙ（ＩＭＥＩ）、またはＭｏｂｉｌｅ  Ｉｄｅｎｔｉｆｉｃａｔｉｏｎ  Ｎｕｍｂｅｒ（ＭＩＮ）のうちの１つ以上を備え得る。第２の実施例として、インターネットＮ２  １０４等の広域ネットワーク内の通信デバイスの場合、識別子情報は、デバイスのためのインターネットプロトコル（ＩＰ）アドレスを備え得る。
【００２３】
加えて、デバイスリンクフィールド２０１２、２０２６、２０５２は、デバイス識別フィールド２００６、２００８、２０１０によって識別される、一次デバイスと充電配置にある、通信システム１００内の第２の別個の通信デバイスを一意に識別する。デバイスリンクフィールド２０１２、２０２６、２０５２内の識別子情報は、サーバ１０２に対して特定の通信デバイスを識別するための任意の一意の識別子情報を備え得る。例えば、無線通信デバイスの場合、識別子情報は、無線通信デバイスのＥｌｅｃｔｒｏｎｉｃ  Ｓｅｒｉａｌ  Ｎｕｍｂｅｒ（ＥＳＮ）、Ｍｏｂｉｌｅ  Ｅｑｕｉｐｍｅｎｔ  Ｉｄｅｎｔｉｆｉｅｒ（ＭＥＩＤ）、Ｉｎｔｅｒｎａｔｉｏｎａｌ  Ｍｏｂｉｌｅ  Ｅｑｕｉｐｍｅｎｔ  Ｉｄｅｎｔｉｔｙ（ＩＭＥＩ）、またはＭｏｂｉｌｅ  Ｉｄｅｎｔｉｆｉｃａｔｉｏｎ  Ｎｕｍｂｅｒ（ＭＩＮ）のうちの１つ以上を備え得る。第２の実施例として、インターネットＮ２  １０４等の広域ネットワーク内の通信デバイスの場合、識別子情報は、デバイスのためのインターネットプロトコル（ＩＰ）アドレスを備え得る。
【００２４】
各記録はまた、特定の記録２００５、２００７、２００９に関連付けられた一次と二次デバイスとの間の充電配置のステータスを示す、デバイスステータスフィールド２０１４、２０２８、２０５４を含む。デバイスステータスフィールド２０１４、２０２８、２０５４は、例えば、一次および二次デバイスが、疎結合された充電配置にある、充電配置を示し得る。そのような疎結合された充電配置では、２つの通信デバイスは、以下により詳細に説明されるように、相互間で充電信号を伝達し、一次デバイスを二次デバイスによって、またはその逆において、充電可能である。第２に、デバイスステータスフィールド２０１４、２０２８、２０５４は、例えば、一次および二次デバイスが、密結合された充電配置にあることを示してもよく、その場合、２つの通信デバイスは、以下により詳細に説明されるように、相互間で充電信号を伝達し、一次デバイスを二次デバイスによって、またはその逆において、充電可能である。第３に、デバイスステータスフィールド２０１４、２０２８、２０５４は、一次および二次デバイスが、短距離通信モードにあることを示してもよく、その場合、２つの通信デバイスは、相互に短距離通信可能である。他のデバイスステータス情報も、随意に、デバイスステータスフィールド２０１４、２０２８、２０５４とともに含まれ得る。例えば、他のタイプのデバイスステータス情報は、以下の任意の１つまたは組み合わせを含み得る：充電配置は、一次デバイスと二次デバイスとの間で分断されている（または、切断されている）、短距離通信は、一次デバイスと二次デバイスとの間で分断されている（または、切断されている）、一次デバイスステータスは、ネットワーク外（例えば、第１のネットワークＮ１  １０６および／または第２のネットワークＮ２  １０４の外）である、一次デバイスステータスは、ネットワーク内である、二次デバイスステータスは、ネットワーク外である、および二次デバイスステータスは、ネットワーク内である。
【００２５】
加えて、通信デバイスステータスデータベース２００２内の各データベース記録２００５、２００７、２００９は、特定のデータベース記録２００５、２００７、２００９に関連付けられる、各通信デバイスに関連付けられる、特定のアカウント情報を識別する、１つ以上のアカウント識別フィールド２０１６、２０２０、２０３０、２０３４、２０４４、２０５６を含み得る。例えば、携帯電話１  １１４に関連付けられる、第１のデータベース記録２００５はさらに、アカウント識別情報１  ２０１６によって識別される、第１のアカウントと、アカウント識別情報２  ２０２０によって識別される、第２のアカウントに関連付けられる。
【００２６】
これらのアカウントの各々は、また、特定のデータベース記録２００５内において、それぞれのアカウントステータス情報２０１８、２０２２に関連付けられる。本アカウント識別情報２０１６、２０２０、および、アカウントステータス情報２０１８、２０２２は、携帯電話１デバイス１１４と、デバイスリンク１情報２０１２によって識別されるデバイス（例えば、ＰＣ１  １１２）とが互に関連付けを有し、第１のアカウント２０１６と第２のアカウント２０２０とに関連付けを有することを示す。各特定のデータベース記録２００５、２００７に対して、アカウント識別情報２０１６、２０２０、および関連付けられたアカウントステータス情報２０１８、２０２２は、各特定のアカウントのためのメッセージが、特定のデータベース記録２００５、２００７に関連付けられる一次および二次通信デバイス１１４、１１２の各々に、どのように送信されるかを示すために使用することができる。
【００２７】
ＰＣ１デバイス１１２に関連付けられるデータベース記録２００７に関して、一次通信デバイス、すなわち、ＰＣ１  １１２とリンクされる、複数の二次デバイスが存在する。デバイスリンク２  ２０２６によって識別される二次通信デバイスは、一次デバイスＩＤ  ２００８によって識別される一次デバイスＰＣ１  １１２とリンクされる。例えば、本デバイスリンク２  ２０２６は、携帯電話１  １１４を識別し得る。しかしながら、デバイスリンク３  ２０４０によって識別される別の二次デバイス（図示せず）もまた、ＰＣ１デバイス１１２に関連付けられるか、またはリンクされる。本他の二次デバイス（図示せず）は、ステータス３  ２０４２を伴うデバイスリンク３  ２０４０によって識別され、加えて、アカウント３  ２０４４およびアカウント３  ステータス２０４６が一次デバイスＰＣ１  １１２と共有される。他の二次通信デバイス（図示せず）は、特定のデータベース記録２００７において、オープンフィールド情報２０３８によって示されるように、識別され得る。さらに、他の情報が、例えば、それぞれのオープンフィールド２０２４、２０４８、２０６０によって識別される、それぞれのデータベース記録２００５、２００７、２００９内に記憶され得る。
【００２８】
図２０に示されるように、本実施例では、メッセージ同期データベース１１０は、メッセージステータスデータベース２００４を備えている。本メッセージステータスデータベース２００４は、通信デバイスステータスデータベース２００２内で識別される通信デバイスと通信されている、特定のメッセージを識別する、メッセージ識別記録２０６２、２０６４、２０６６を含む。各メッセージステータスデータベース記録２０６２、２０６４、２０６６は、特定のメッセージを一意に識別する、メッセージ識別フィールド２０６８、２０７８を含む。また、各メッセージステータスデータベース記録２０６２、２０６４は、それぞれのメッセージ識別フィールド２０６８、２０７８によって識別される特定のメッセージに関連付けられる、アカウントを識別する、アカウント識別情報２０７０、２０８０を含む。各メッセージステータスデータベース記録２０６２、２０６４はさらに、特定のアカウント２０７０、２０８０に関連付けられるそれぞれのメッセージを通信する、１つ以上の通信デバイスを識別する、デバイス識別情報２０７２、２０７４、２０８２、２０８４を含む。他のメッセージステータス情報および関連情報２０７６、２０８６は、図２０に示されるように、メッセージステータスデータベース記録２０６２、２０６４とともに記憶することができる。このように、通信システム１００において、１つ以上の通信デバイス１１２、１１４に送達される、１つ以上のメッセージは、メッセージステータスデータベース２００４内で追跡され、通信デバイスステータスデータベース２００２内で追跡されている、記録２００５、２００７、２００９、２０５０を有する、通信デバイスに関連付けられる。メッセージ同期データベース１１０内の情報を利用する種々の方法が、以下により詳細に論じられる。
【００２９】
本実施例では、メッセージ同期データベース１１０は、ＮＯＣ１０２によって利用され、通信システム１００において、通信デバイス１１２、１１４に通信されているメッセージを追跡および監視する。図１に示されるように、種々の実施形態によると、メッセージ同期データベース１１０、１１０’、１１０’’、１１０’’’、および１１０’’’’は、図１に示されるように、通信システム１００の種々の他の構成要素と通信的に結合され得る。例えば、電子メールサーバ１０８は、電子メールサーバ１０８が、通信システム１００において、電子メールサーバ１０８から通信デバイス１１２、１１４に送達される電子メールメッセージを追跡するように、メッセージ同期データベース１１０’と通信的に結合され得る。別の実施例として、ＢｌａｃｋＢｅｒｒｙ電子メールサーバ１１１は、通信システム１００において、ＢｌａｃｋＢｅｒｒｙ電子メールサーバ１１１から通信デバイス１１２、１１４に送達されるメッセージを追跡するために、メッセージ同期データベース１１０’’と通信的に結合され得る。
【００３０】
ある実施形態では、通信デバイス１１２、１１４のうちの１つ以上は、特定の通信デバイス１１２、１１４が、１つ以上の通信デバイス１１２、１１４に送達されているメッセージを追跡し得るように、それぞれのメッセージ同期データベース１１０’’’、１１０’’’’と通信的に結合され得る。種々の実施形態によると、通信システム１００の１つ以上の構成要素１０２、１０８、１１１、１１２、１１４は、は、図１に示されるように、１つ以上のメッセージ同期データベース通信的に結合され得る。通信システム１００のこれらの構成要素１０２、１０８、１１１、１１２、１１４のうちの１つ以上が、メッセージ同期データベース１１０、１１０’、１１０’’、１１０’’’、および１１０’’’’を利用することができる方法の種々の実施例は、以下により詳細に論じられる。
【００３１】
図２は、図１に示される、パーソナルコンピュータ１  １１２の実施例である、ラップトップパーソナルコンピュータ２０２を例証する。ラップトップ２０２は、蝶番機構２０９を介して、回転２０８することができる、蝶番蓋２０４を含む。蓋部分２０４は、蝶番機構２０９を中心として、基部部分２０６まで回転２０８し、図３に示されるように、ラップトップ２０２を閉鎖することができる。蓋部分２０４が、基部部分２０６から離れるように回転２０８されると、ユーザによる通常使用のために、ラップトップを開放する。基部部分２０６は、キーボード２１０および他のユーザ入力インターフェース要素を含む。そのような他の要素は、トラックパッド、ジョイスティック、トラックボール、キーパッド、および当業者に周知の他のユーザ入力インターフェースを含み得る。蓋部分２０４は、ラップトップデバイス２０２のユーザに視覚情報を提示するためのグラフィックディスプレイ２１２を含む。ラップトップ２０２の外側スキン下に戦略的に位置するのは、本実施例では、再充電可能バッテリを伴う、他のデバイス、例えば、図１に示される、携帯電話１デバイス１１４のためのバッテリ充電器として使用することができる、３つの別個の誘導コイル２１４、２１６、３０２である。図２および３に例証されるように、ラップトップ２０２の基部部分２０６内のスキン直下に位置する、２つのコイル２１４、２１６が存在する。第３のコイル３０２は、蓋部分２０４の外側スキン直下に位置する。これらのコイル２１４、２１６、３０２は、他のデバイスの再充電可能バッテリを充電するために、ラップトップデバイス２０２と別のデバイス、例えば、携帯電話１  １１４との間の充電エネルギー信号の誘導結合のために使用することができる。
【００３２】
図４は、コイルのうちの１つ、この場合、ラップトップ２０２の基部部分２０６における右側コイル２１４を例証する。誘導充電エネルギー伝達４０２は、図２および３に示されるような開放された位置または閉鎖された位置のいずれかにおけるラップトップ２０２で可能であることに留意されたい。図３に示されるような閉鎖された位置では、充電エネルギー４０２の誘導結合は、蓋部分２０４を通して、最右側コイル２１４に近接して位置する、受信デバイスに伝送することができる。図４に示されるように、充電制御および発生回路４０４は、以下により詳細に論じられるように、コイル２１４と結合され、充電エネルギー４０２の誘導結合を発生させる。ラップトップパーソナルコンピュータ２０２は、ラップトップ２０２のための電源として、再充電可能バッテリ４１０を含む。加えて、ラップトップ２０２は、ケーブルおよびアダプタ４０８を介して、ＡＣコンセントと電気的に結合し、ＡＣ電力をラップトップ２０２に提供することができる、ＡＣインターフェース４０６を含む。ＡＣ電力は、充電および制御回路４０４を有するラップトップ２０２によって、誘導結合充電エネルギー４０２を別のデバイスに送達することができる。ＡＣ電力は、ラップトップ２０２によって、使用され、その再充電可能バッテリ４１０を充電することができる。最後に、ラップトップ２０２は、その再充電可能バッテリ４１０からの電力を利用して、誘導結合充電エネルギー４０２を別のデバイスに提供することができる。充電エネルギーの誘導結合ためのこれらの特徴および機能は、以下により詳細に論じられる。
【００３３】
図５は、充電エネルギー４０２の誘導結合において使用するために好適である、コイル２１４の一実施例を例証する。本コイル２１４は、コイル２１４を介して、充電エネルギーを電気的に結合するための２つの導線５０２、５０４を含む。一実施例では、コイル２１４は、空心コイルを備えている。他のタイプのコアが、代替実施形態では、コイル２１４と共に使用され得る。
【００３４】
充電エネルギーの共鳴誘導結合は、同一周波数の充電エネルギー信号に共鳴する２つのコイル間のエネルギーの近距離無線伝送を含む。伝送コイル、例えば、図５に示される、コイル２１４は、コイルに、共鳴周波数の振動電流で鳴動させる同調されたＬ−Ｃ回路内で動作する。これは、コイル２１４から振動磁場を発生させる。相補的第２のコイルは、他のデバイス、例えば、携帯電話１デバイス１１４内に位置し、受信機コイルとして使用される。受信機コイルは、伝送コイル２１４の同調されたＬ−Ｃ回路に類似する同調されたＬ−Ｃ回路内にあって、同一周波数で共鳴する。第２のコイルが、第１のコイルに近接すると、第２のコイル（受信機コイル）は、コイルおよびそれぞれの同調されたＬ−Ｃ回路の両方のほぼ共鳴周波数において、第１のコイル（伝送コイル）２１４から伝送された充電エネルギー信号を受け取る。伝送コイルと受信機コイルとの間で充電エネルギー信号を通信する、振動磁場は、共鳴周波数において、コイル間で充電エネルギー信号を誘導的に伝達するように動作する。充電エネルギーの本共鳴伝達は、伝送コイルから、コイルに近接する他の非共鳴構造には、ほとんどエネルギーを放射しない、２つのコイル間の近距離伝送である。故に、これは、デバイス間の充電エネルギーの非常に効率的手段であり得る。
【００３５】
図６は、伝送コイルを介して、充電エネルギーを伝送するための共鳴誘導結合回路の一実施例を例証する。コルピッツ発振器回路６０２は、例えば、共鳴周波数を中心とする通過帯域において、充電電流で伝送コイルを鳴動させる同調されたＬ−Ｃ発振器として使用することができる。通過帯域は、発振器回路の静的回路設計によって、または、代替実施形態では、発振器６０２のための同調された通過帯域共鳴周波数を変更することができる、同調可能電気構成要素、例えば、同調コンデンサまたは同調インダクタ、あるいは両方を使用することのいずれかによって、発振器６０２のために選択することができる。発振器６０２は、電力コントローラ回路６０４および制御された電力スイッチ６０６によって、制御される。一実施例では、電力コントローラ６０４は、電源６０８から、制御されたスイッチ６０６を介して、発振器６０２へのエネルギーの伝達を制御する。電力コントローラ６０４は、スイッチ６０６を制御し、ＯＮ−ＯＦＦパターンに従って、スイッチ６０６を開放および閉鎖する。このように、電力コントローラ６０４は、伝送コイルおよび発振器６０２のＬ−Ｃ同調回路を介して、別のデバイスに誘導的に伝達される、充電エネルギー信号を変調することができる。
【００３６】
図７は、２つのデバイス間の充電エネルギー信号の誘導結合の実施例を例証する。電力充電デバイス７０２は、電源デバイス７０４の伝送コイル７２０から伝送される、誘導的に結合された充電エネルギーを受信する、受信機コイル７０８を含む。電力充電デバイス７０２は、例えば、携帯電話、例えば、図１に示される、携帯電話１  １１４を備え得る。電源デバイス７０４は、例えば、ラップトップパーソナルコンピュータ、例えば、図１に示される、パーソナルコンピュータ１  １１２を備え得る。電力充電デバイス７０２は、受信機コイル７０８と電気的に結合される、電力コントローラおよび調整回路７０６を含む。電力調整回路は、受信機コイル７０８に電気的に結合し、同調されたＬ−Ｃ回路の通過帯域共鳴周波数において、受信機コイル７０８を介して、充電エネルギー信号を受信する、同調されたＬ−Ｃ回路を提供する。随意に、可変周波数フィルタ７３０は、受信機コイル７０８および同調されたＬ−Ｃ回路の共鳴周波数が、コントローラによって変動することができるように、調整回路および受信機コイル７０８に提供される。すなわち、共鳴周波数は、共鳴周波数における通過帯域を中心として、誘導的に伝送された充電エネルギー信号の受信のための特定の共鳴周波数通過帯域に同調されることができる。
【００３７】
電源７１０は、本実施例では、受信機コイル７０８を介した充電エネルギー信号の誘導結合を介して、充電することができる、再充電可能バッテリを備えている。センサ回路７１２は、再充電可能バッテリ７１０に電気的に結合され、感知された充電レベル指標信号を電力コントローラ７０６に提供する。センサ７１２を利用する、電力コントローラ７０６は、バッテリ７１０の充電レベルを監視することができる。
【００３８】
短距離無線通信送受信機７１４は、電力充電デバイス７０２のための無線通信インターフェースを提供する。種々の実施形態によると、短距離無線通信送受信機７１４の代替は、短距離無線通信送信機、短距離無線通信受信機、または両方を含み得ることに留意されたい。一実施例では、短距離無線通信送受信機７１４は、電力充電デバイス７０２と電源デバイス７０４との間の短距離信号の無線通信を促進するためのコイル７１６を含む。ユーザインターフェース７３２は、電力コントローラ７０６と通信的に結合され、電力充電デバイス７０２のユーザに、デバイス７０２と相互作用させる。電源デバイス７０４は、伝送コイル７２０と電気的に結合される、電力コントローラおよび調整回路７１８を含む。調整回路７１８は、誘導結合を介して、同調されたＬ−Ｃ回路の通過帯域共鳴周波数における、充電エネルギー信号の伝送を促進する、同調されたＬ−Ｃ回路内の伝送コイル７２０と電気的に結合される。随意に、可変周波数発振器７１９は、通過帯域共鳴周波数が、電力コントローラ７１８によって調節することができるように、同調されたＬ−Ｃ回路の一部として、提供される。電力コントローラおよび調整回路７１８は、同調されたＬ−Ｃ回路の通過帯域共鳴周波数において伝送コイル７２０から誘導的に伝送される充電エネルギー信号を発生させるために、電力コントローラ７１８によって利用される電源７２２に電気的に結合される。随意に、センサ７２４は、電源デバイス７０４において、電源７２２の充電ステータスを監視する。加えて、センサ７２４は、充電エネルギー信号のレベルの指標を電力コントローラ７１８に提供することができる。このように、電力コントローラ７１８は、電源７２２、本実施例では、再充電可能バッテリ７２２の充電レベルを監視することができる。
【００３９】
短距離無線通信送受信機７２６は、電力コントローラ７１８と通信的に結合される。種々の実施形態によると、短距離無線通信送受信機７２６の代替は、短距離無線通信送信機、短距離無線通信受信機、または両方を含み得ることに留意されたい。一実施形態によると、短距離無線通信送受信機７２６は、電源デバイス７０４と電力充電デバイス７０２との間の信号の短距離無線通信を促進する、コイル７２８を含む。ユーザインターフェース７３４は、電力コントローラ７１８に結合され、ユーザの電源デバイス７０４との相互作用を促進する。
【００４０】
一実施例によると、電源デバイスは、充電エネルギー信号を電力充電デバイスに誘導的に結合する。電源デバイスは、電源と、充電エネルギーを電源から誘導無線電力伝送回路に選択的に転送し、それによって、実質的に、共鳴周波数を中心とする通過帯域内の周波数を有する充電エネルギー信号を無線で誘導的に伝送するために、電源と電気的に結合される、共鳴周波数を中心とする通過帯域を有する、誘導無線電力伝送回路と、誘導無線電力伝送回路と通信的に結合される、充電電力プロセッサとを備えている。充電電力プロセッサは、本実施例では、電源デバイスが、別のデバイスと充電配置にあることの決定に基づいて、誘導無線電力伝送回路を制御し、充電エネルギー信号を電源から誘導無線電力伝送回路に伝送し、それによって、充電エネルギー信号を他のデバイスに無線で誘導的に伝送するように構成される。
【００４１】
図８は、電力充電デバイス８００、例えば、図７に示される、電力充電デバイス７０２、および図１に示される、携帯電話１  １１４の詳細な回路ブロック図を示す。コントローラ８０２は、メモリ８０４、例えば、電力充電デバイス８００内のフラッシュメモリまたはランダムアクセスメモリ（ＲＡＭ）に通信的に結合される。無線通信送受信機８０６（すなわち、長距離無線通信送受信機）は、図１に示されるように、コントローラ８０２および少なくとも１つのアンテナ８０８に結合され、携帯電話１  １１４と無線通信ネットワーク１０６との間の長距離無線通信を促進する。コントローラ８０２は、本実施例では、データを受信した無線信号から抽出し、伝送される信号を発生させるための処理を行う、少なくとも１つのデジタル信号プロセッサ（ＤＳＰ）を含む。
【００４２】
短距離無線通信送受信機８２４は、コイル８２６およびコントローラ８０２に電気的に結合され、電力充電デバイス８００のための短距離無線通信インターフェースを提供する。種々の実施形態によると、短距離無線通信送受信機８２４の代替は、短距離無線通信送信機、短距離無線通信受信機、または両方を含み得ることに留意されたい。図７を参照して同様に論じられるように、コイル８２６を伴う、短距離無線通信送受信機８２４は、電源デバイス７０４と電力充電デバイス７０２との間の情報信号の短距離無線通信のために使用することができる。
【００４３】
コントローラ８０２は、ポート８２２を介して、他のデバイスとデータ通信させる、１つ以上の入力−出力データポート８２２に結合される。随意に、可変周波数フィルタ（ＶＦＦ）８３８は、電力調整回路８３０内に含まれ、コントローラ８０２によって制御され、受信機コイル８２８を含む、同調されたＬ−Ｃ回路の通過帯域共鳴周波数を調節する。このように、コントローラ８０２は、同調された共鳴周波数において、充電エネルギー信号を受信するための受信機コイル８２８を含む、受信機回路の共鳴周波数通過帯域を調節することができる。
【００４４】
整流器回路８３２は、電力調整回路８３０と結合され、バッテリ８３４を充電するために、整流された充電エネルギー信号をバッテリ８３４に提供する。センサ８３６は、コントローラ８０２によって使用され、充電エネルギー信号のレベルの指標をコントローラ８０２に提供する。センサ８３６は、代替として、コントローラ８０２によって使用され、バッテリ８３４の充電レベルを監視する。したがって、センサ８３６は、バッテリ８３４の充電レベルまたは電源デバイス７０４から無線で受信した充電エネルギー信号のレベルの一方を表す、充電指標情報信号をコントローラ８０２に提供することができる。電力充電デバイス８００のためのコントローラ８０２および電源デバイス７０４のためのコントローラ７１８は、種々の有用な方法において、充電指標情報信号を使用することができる。例えば、コントローラ８０２は、ユーザインターフェース８１０を介して、充電指標情報をデバイス８００のユーザに提示することができる。
【００４５】
一実施形態では、コントローラ８０２は、充電指標情報を電源デバイス７０４に提供することができる。例えば、電源デバイス７０４は、例えば、電力充電デバイス８００における短距離無線通信送受信機８２４および電源デバイス７０４における短距離無線通信送受信機７２６を介して、充電指標情報を受信することに応答して、電源デバイス７０４のユーザインターフェース７３４を介して、電源デバイス７０４のユーザに情報を提示することができる。本実施形態では、コントローラ８０２は、短距離無線通信送受信機８２４を使用して、充電指標情報の表現を電源デバイス７０４の短距離無線通信送受信機７２６に無線で伝送する。電源デバイスのコントローラ７１８は、充電指標情報の表現を受信し、ユーザインターフェース７３４を介して、充電指標情報を電源デバイス７０４のユーザに提示する。充電指標情報は、バッテリ８３４の充電レベルまたは電源デバイス７０４から無線で受信した充電エネルギー信号のレベルのいずれかを表すことができる。例えば、充電指標情報の表現は、視覚表現または視覚インジケータまたは両方として、ディスプレイ画面２１２（図２参照）上に表示することができる。また、図１３に関する議論も参照されたい。当然ながら、充電指標情報は、電力充電デバイス８００のコントローラ８０２によって、電源デバイス７０４のコントローラ７１８によって、または両方のコントローラ８０２、７１８によって、種々の他の方法において、使用することができる。一実施形態では、充電指標情報は、デバイス８００、７０４の各々のそれぞれのコントローラ８０２、７１８によって使用され、デバイス８００、７０４が、相互と充電配置において動作しているかどうかを決定することができる。
【００４６】
電力充電デバイス８００のユーザインターフェース８１０は、図８に示されるように、ユーザ入力インターフェース要素およびユーザ出力インターフェース要素を含み得る。例えば、トラックパッド８１４（一実施例では、トラックボールを含み得る）は、ユーザが、ディスプレイ８２０上のカーソルをナビゲートするためのナビゲーションツールを提供することができ、電力充電デバイス８００のユーザからユーザ入力を受け取ることができる。トラックパッド８１４は、例えば、グラフィカルユーザディスプレイ８２０を介して、カーソルをナビゲートするために使用することができる。トラックパッド８１４はまた、デバイス８００のユーザが、トラックパッド８１４の一部を押下し、トラックパッド８１４を作動させ、随意に、デバイス８００の特定の機能の選択を行うことができるように、押下式スイッチ機構を含むことができる。ディスプレイ８２０は、任意のタイプのディスプレイ、例えば、限定ではないが、グラフィカルディスプレイ８２０であり得る。
【００４７】
マイクロホン８１６は、マイクロホン８１６の周囲の周囲環境から可聴周波数を受信する。また、デバイス８００のユーザからの音声可聴周波数を受け取ることができる。デバイス８００が、携帯電話を備えている（または、スマートフォン）場合、マイクロホン８１６は、ユーザが、発話する送話口の一部として、使用することができる。
【００４８】
キーパッド８１２は、デバイス８００のユーザによって押下され、情報をデバイス８００に入力することができる、ボタンを含むことができる。一実施形態では、キーパッド８１２は、タッチスクリーンキーパッド８１２として、ディスプレイ８２０と組み合わせて、配備され得る。
【００４９】
生体認証ユーザ入力８１３は、デバイス８００のユーザから情報を捕捉し、その生体認証情報によって、ユーザを識別する。例えば、ユーザの指紋情報が、生体認証ユーザ入力デバイス８１３によって、捕捉され得る。代替として、生体認証ユーザ入力デバイス８１３は、マイクロホン８１６と組み合わせて動作し、ユーザの音声（または、ユーザの音声の属性）を捕捉し、それによって、デバイス８００のユーザを識別し得る。生体認証ユーザ入力デバイスの他の形態が、当業者によって理解されるはずであるように、電力充電デバイス８００内で実装され得る。
【００５０】
入力−出力データポート８２２は、コントローラ８０２と通信的に結合され、電力充電デバイス８００と他のデバイスとの間のインターフェース選択肢を提供する。例えば、ＵＳＢインターフェースは、電力充電デバイス８００とパーソナルコンピュータ（例えば、図１に示される、パーソナルコンピュータ１  １１２）との間で情報通信させる、１つ以上の入力−出力データポート８２２を含み得る。
【００５１】
一実施例によると、無線通信デバイスは、再充電可能電源と、実質的に、共鳴周波数を中心とする通過帯域内の周波数を有する、誘導的に伝送された充電エネルギー信号を無線で受信し、受信した充電エネルギー信号からの充電エネルギーを再充電可能電源に選択的に伝達するための再充電可能電源と電気的に結合される、共鳴周波数を中心とする通過帯域を有する、誘導無線電力受信回路と、誘導無線電力受信回路と通信的に結合される、充電電力プロセッサとを備えている。充電電力プロセッサは、実施例によると、誘導無線電力受信回路を制御し、無線通信デバイスが、電源デバイスと充電配置にあることの決定に基づいて、受信した充電エネルギー信号からの充電エネルギーを再充電可能電源に伝達するように構成される。
【００５２】
図９および１０を参照すると、電力充電デバイス９０３（例えば、携帯電話１１１４）と電源デバイス９０５（例えば、パーソナルコンピュータ１１１２）との間の相対運動（矢印９０１によって示されるように）が、示される。電力充電デバイス９０３の受信機コイル９０２は、文字Ａ、Ｂ、およびＣによって示される、３つの相対場所に伴って、電源デバイス９０５の送信機コイル９０４に相対的に移動する。２つのコイル９０２、９０４が、相互に相対的に移動するのに伴って、図１０は、３つの相対場所Ａ、Ｂ、およびＣにおける、電力充電デバイス９０３に受信される、充電エネルギー信号１０２のチャートを示す。図１０におけるチャートは、受信機コイル９０２と送信機コイル９０４との間の相対運動において、進行された距離１００６にわたって、変動するのに伴う、充電エネルギー信号１００２の電圧１００４のプロットを示す。コイル９０２、９０４間の充電信号の誘導結合は、２つのコイル９０２、９０４間の距離および相対配向に応じて、変動する。
【００５３】
送信機コイル９０４は、受信機コイル９０２が、種々の相対場所Ａ、Ｂ、およびＣにおいて、エネルギーを断ち切り、誘導的に吸収するであろう、振動磁場を生成する。受信機コイル９０２が、送信機コイル９０４によって生成された磁場を通過するのに伴って、充電エネルギー信号は、電源デバイス９０５と電力充電デバイス９０３との間で誘導的に伝達される。送信機コイル９０４における振動エネルギー充電信号によって生成される磁束は、種々の相対位置Ａ、ＢおよびＣにおいて、受信機コイル９０２によって体験される。
【００５４】
位置ＡおよびＣでは、２つのコイル９０２、９０４は、送信機コイル９０４からの磁束のごく一部が、受信機コイル９０２によって体験されるように、相互から幾分距離を置くという点において、疎結合されていると見なされる。相対位置Ｂでは、２つのコイルは、共鳴周波数における充電エネルギー信号の誘導伝達が、比較的に高いという点において、密結合されている（または、臨界的に結合されている）と見なされる。
【００５５】
コントローラ８０２（図８に示されるように）は、センサ８３６を利用して、誘導的に伝達される充電エネルギー信号の電圧を監視することができることに留意されたい。２つのコイル９０２、９０４もまた、示されるように、相互に相対的に移動するように、２つのデバイス９０３、９０５が、相互に相対的に移動するのに伴って、コントローラ８０２は、相対位置Ａ、Ｂ、およびＣにおいて、充電指標信号（例えば、電圧値１００４）をセンサ８３６から捕捉することができる。コントローラ８０２は、充電指標信号（センサ８３６から捕捉されるように）のいくつかの値をメモリ８０４内に記憶し、図１０に示されるように、曲線１００２の表現を生成することができる。
【００５６】
メモリ８０４内に記憶される充電指標信号値は、電力充電デバイス８００のユーザに提示され、２つのデバイス９０３、９０５（および、コイル９０２、９０４）の相対位置が、例えば、図１０における位置Ｂによって示されるように、密結合された誘導エネルギー伝達配置にあることをユーザに通知することができる。
【００５７】
メモリ８０４内に記憶される充電指標信号値は、電力充電デバイス８００のユーザに提示され、２つのデバイス９０３、９０５の相対位置が、例えば、位置ＡおよびＣによって示される、疎結合された誘導エネルギー伝達配置にあることをユーザに通知することができる。
【００５８】
すなわち、デバイス９０３、９０５が、密結合された配置の範囲と疎結合された配置の範囲とのいずれにあるかを示す本情報は、一実施形態では、スピーカ８１８から放出される、可聴信号を介して、ユーザによって提示することができる。これらの可聴信号の振幅および／または周波数は、例えば、ユーザが、ラップトップパーソナルコンピュータ１１２と相対的に携帯電話１  １１４を移動させる場合に、ユーザが、２つのデバイス１１２、１１４を密結合された誘導エネルギー伝達配置に位置付けるのを補助するように、ユーザをガイドすることができる。
【００５９】
すなわち、デバイス９０３、９０５が、密結合された配置の範囲と疎結合された配置の範囲とのいずれにあるかを示す本情報は、一実施形態では、ディスプレイ８２０を介して、ユーザに提示されることができる。ディスプレイ８２０は、テキストまたは数字形態において、あるいはグラフィカル形態において、情報を示すことができる。加えて、情報の形態の組み合わせ、例えば、可聴周波数、視覚的テキスト、視覚的数字、またはグラフィックの任意の１つまたは組み合わせをユーザに提示することができる。
【００６０】
例えば、図１１に示されるように、垂直棒グラフを使用して、２つのデバイス９０３、９０５の相対場所が、例えば、位置Ｂにおける、密結合された誘導エネルギー伝達モード、または例えば、位置ＡおよびＣにおける、疎結合された誘導エネルギー伝達モードの範囲内にあることをユーザに示すことができる。位置Ｂでは、図１１に示されるように、棒グラフ１１０４内の合計７つの棒のうち６つの棒１１０７は、エネルギー伝達が、比較的に高いことを示し、２つのデバイス９０３、９０５が、密結合された誘導エネルギー伝達モードにあることを示す。加えて、別個のインジケータ１１０９は、ＯＮにされ（ハイライトされ）、またはさらに特定の色、例えば、緑色に変更され、電力充電デバイスのユーザに、２つのデバイス９０３、９０５が、密結合された誘導エネルギー伝達モードにあることを示すことができる。
【００６１】
位置Ａでは、棒グラフ１１０２は、ＯＮにされた（ハイライトされた）１つの棒１１０３のみ有し、それによって、疎結合された誘導エネルギー伝達モードを示す。インジケータ１１０５は、ＯＦＦにされ、２つのデバイス９０３、９０５が、疎結合された誘導エネルギー伝達モードにあることをユーザに示す。随意に、インジケータ１１０５は、ある色、例えば、赤色に設定することができる。同様に、場所Ｃでは、棒グラフインジケータ１１０６は、ＯＮにされた（ハイライトされた）２つの棒１１０８のみ有し、別個のインジケータ１１１０は、ＯＦＦにされ（または、赤色に着色され）、デバイス９０３、９０５が、疎結合された誘導エネルギー伝達モードにあることをユーザに示す。
【００６２】
図３に示されるように、例えば、電力充電デバイス９０３（例えば、図１に示される、携帯電話１  １１４）が、例えば、長方形破線２１４、２１６、３０２によって示される、標的充電場所のうちの１つに位置する場合、携帯電話１デバイス１１４のユーザは、有利には、デバイス２０２、１１４間の充電エネルギー信号の誘導結合の概算レベルを示す携帯電話１  １１４上のディスプレイ８２０を監視しながら、携帯電話１デバイス１１４をラップトップ２０２の表面上で移動させることができる。このように、ユーザは、例えば、コイル２１４（図４に示される）直上の標的面積２１４（図３に示される）のほぼ上に位置するように、携帯電話１デバイス１１４をラップトップ２０２の外側表面上で移動させることができる。２つのデバイス２０２、１１４のこの場所は、２つのデバイス１１４、２０２間の密結合された誘導エネルギー伝達配置を表すであろう。ユーザは、密結合された誘導エネルギー伝達配置において、携帯電話１デバイス１１４をコイル２１４直上に位置付けるように、棒グラフインジケータ１１０２、１１０４、および１１０６によってガイドされるであろう。
【００６３】
本特徴は、携帯電話１デバイス１１４をラップトップ２０２の外側表面上で移動させる間、ユーザをガイドするために、ユーザに、充電エネルギー信号に対応する情報の表現、例えば、棒グラフ、視覚インジケータ、可聴インジケータ、または任意のそれらの組み合わせを提示する。一実施例によると、本特徴は、棒グラフおよびインジケータ情報を携帯電話１デバイス１１４のディスプレイ８２０上に視覚的に提示することができる。別の実施形態によると、棒グラフおよびインジケータ情報は、ラップトップ２０２のディスプレイ画面２１２上に提示される。この場合、携帯電話１デバイス１１４のコントローラ８０２は、コイル８２６を伴う、短距離無線通信送受信機８２４を使用して、コイル７２８を伴う、短距離通信送受信機７２６を介して、メモリ８０４からの充電指標信号値をラップトップ２０２のコントローラ７１８に通信する。ラップトップ２０２のコントローラ７１８は、次いで、棒グラフおよびインジケータ情報をラップトップ２０２のディスプレイ画面２１２上に提示する。当然ながら、携帯電話１デバイス１１４のディスプレイ８２０およびラップトップ２０２のディスプレイ画面２１２は両方とも、棒グラフおよびインジケータ情報を同時に提示し、密結合された誘導エネルギー伝達配置において、２つのデバイス１１４、２０２を相互に相対的に位置付けるように、ユーザをガイドし得る。
【００６４】
図１２に示されるように、かつ図３を参照すると、電源デバイス、例えば、ラップトップ２０２は、複数のデバイスを同時に充電するために、複数の充電場所を提供することができる。例えば、図３に示されるように、ラップトップ２０２のスキン下に３つのコイル２１４、２１６、３０２が存在する。それによって、最大３つの電力充電デバイスにおける対応する再充電可能電源（例えば、再充電可能バッテリ）を再充電することができる誘導的に結合される充電エネルギー信号を受信するように、最大３つの別個の電力充電デバイスが、ラップトップ２０２に近接して位置付けられることができる。図１２におけるグラフは、それぞれのコイル２１４、２１６、３０２から伝送された誘導的に伝達される充電エネルギー信号の周波数１２００に対する３つの別個の誘導的に伝達される充電エネルギー信号１２０２、１２０４、１２０６の電圧１２０１を示す。
【００６５】
最大３つの電力充電デバイスのための最適場所は、長方形破線２１４、２１６、３０２によって示されるが、３つの電力充電デバイスは、例えば、準最適（すなわち、ラップトップ２０２との密結合に満たない充電配置）であるが、依然として、十分な充電エネルギー信号を受信し、そのそれぞれの再充電可能バッテリを再充電する他の場所に位置付けられることが可能であろう。３つの別個のコイル２１４、２１６、および３０２から伝達される３つの別個の充電エネルギー信号は、一実施形態によると、３つの充電エネルギー信号間の干渉を回避するように選択することができる、重複しない個々の通過帯域共鳴周波数（図１２に例証されるように）を有する。
【００６６】
故に、電源デバイス（例えば、ラップトップ２０２）は、一実施例では、３つの別個のコイル２１４、２１６、３０２、および関連付けられた別個のＬ−Ｃ同調回路を含み、３つの別個の通過帯域共鳴周波数において、３つの別個のコイル２１４、２１６、および３０２からの３つの別個の充電エネルギー信号を誘導的に結合する。図１２に示されるように、第１の誘導的に伝達される充電エネルギー信号１２０２は、第１の共鳴周波数１２０３における通過帯域を中心として、第１のコイル２１４から伝達され、第２の誘導的に伝達される充電エネルギー信号１２０４は、第２の共鳴周波数１２０５における通過帯域を中心として、第２のコイル２１６から伝達され、第３の誘導的に伝達される充電エネルギー信号１２０６は、第３の共鳴周波数１２０７における通過帯域を中心として、第３のコイル３０２から伝達される。
【００６７】
種々の実施形態によると、特定の個々のコイル２１４、２１６、３０２、および関連付けられた別個のＬ−Ｃ同調回路は、Ｌ−Ｃ回路の固定設計によって、またはコントローラ、例えば、コントローラ７１８およびＶＦＯ７１９からの制御によって調節することができる、同調可能回路構成要素によって、同調することができる。加えて、種々の実施形態によると、最大３つの別個の電力充電デバイス７０２（例えば、携帯電話１デバイス１１４および最大２つの他のそのようなデバイス）の各々に対する、受信機コイル７０８および関連付けられたＬ−Ｃ同調回路は、Ｌ−Ｃ回路の固定設計によって、またはコントローラ、例えば、コントローラ７０６およびＶＦＦ７３０からの制御によって調節することができる同調可能回路構成要素によって、同調することができる。電力充電デバイス７０２および電源デバイス７０４の一方または両方が、コイルの通過帯域共鳴周波数を調節し、他のデバイス７０２、７０４のコイルの通過帯域共鳴周波数に整合させることができる場合、デバイス７０２、７０４は、一実施形態によると、誘導結合充電エネルギー信号配置（例えば、充電配置）を確立するために、相互に通信し（例えば、短距離無線通信送受信機７１４、７２６を介して）、標的通過帯域共鳴周波数（例えば、可能性のある複数の通過帯域共鳴周波数のうちの１つ）を選択し、随意に、２つのデバイス７０２、７０４間で充電エネルギー信号を伝達するために使用するための複数の個々のコイル２１４、２１６、３０２、および関連付けられた別個のＬ−Ｃ同調回路のうちの１つを選択するであろう。
【００６８】
図１３は、例えば、電源デバイス７０４（例えば、ラップトップ２０２）のユーザインターフェース７３４におけるディスプレイ画面を例証する。ラップトップ２０２のユーザは、例えば、グラフィカルディスプレイ１３００上において、電力充電デバイス７０２、例えば、図１に示される、携帯電話１デバイス１１４における、再充電可能電源の充電ステータスの指標を視認することができる。
【００６９】
ディスプレイ１３００は、ディスプレイ画面１３０２上に、電源デバイス７０４のユーザに情報を伝える、種々のアイコン１３０４、１３０６を含む。１つのそのようなアイコン１３２２は、電力充電デバイス７０２が、充電エネルギー信号の密結合された誘導伝達のための電源デバイス７０４に対する場所および配置に位置付けられていることの指標をユーザに提供することができる。すなわち、図１１を参照する議論と同様に、アイコン１３２２は、インジケータ１１０５、１１０９、１１１０に対応し、携帯電話１デバイス１１４がラップトップ２０２と携帯電話１デバイス１１４との間の充電エネルギー信号の密結合された誘導伝達のために、ラップトップデバイス２０２の標的充電面積２１４（図３に示されるように）に対して最適に位置付けられている場合を、ラップトップ２０２のユーザに示す。
【００７０】
例えば、図１１に示されるインジケータ１１０９のように、ディスプレイ画面１３０２上のアイコン１３２２は、ハイライトされ、２つのデバイス１１４、２０２が、密結合された誘導エネルギー伝達配置（密結合された配置）にあることをユーザに示すことができる。例えば、図１１に示される、インジケータ１１０５、１１１０のように、アイコン１３２２が、ハイライトされない場合、アイコン１３２２は、２つのデバイスが、疎結合された誘導エネルギー伝達配置（疎結合された配置）にあることを示す。
【００７１】
また、ディスプレイ画面１３０２上の長方形ダイアログボックス１３２６は、携帯電話１デバイス１１４のバッテリのためのバッテリ充電指標情報を示すことができる。図１３に示されるように、ダイアログボックス１３２６内のテキストおよび数字情報は、携帯電話１デバイス１１４が、携帯電話１デバイス１１４の再充電可能バッテリに対して、約７２％のフル充電を有することをユーザに示す。本情報は、短距離送受信機７１４、７２６を利用する、電力充電デバイス７０２および電源デバイス７０４間の情報の通信に関して前述のような類似方式において、携帯電話１デバイス１１４からラップトップ２０２に通信することができる。
【００７２】
加えて、ディスプレイ画面１３０２上のダイアログボックス１３０８は、ラップトップ２０２のユーザに、携帯電話１デバイス１１４によって受信されたメッセージを通信することができる。このように、ラップトップデバイス２０２のユーザは、単一ユーザインターフェースを利用して、携帯電話１デバイス１１４またはラップトップ２０２によって受信されたかどうかに関わらず、メッセージを受信（および、随意に、送信）することができる。すなわち、携帯電話１デバイス１１４は、ラップトップ２０２と充電配置にある場合、短距離通信送受信機７１４、７２６を介して、ラップトップ２０２と通信し、それによって、デバイス１１４、２０２間でメッセージ情報を通信することができる。
【００７３】
両デバイス１１４、２０２のユーザは、ラップトップのディスプレイ１３００を使用して、携帯電話１デバイス１１４およびラップトップ２０２の両方から、通信を受信することができる。代替として、両デバイス１１４、２０２のユーザは、携帯電話１デバイス１１４およびラップトップ２０２の両方からメッセージを受信するためのユーザインターフェースとして、携帯電話１デバイス１１４のディスプレイ８２０を使用するように選択し得る。本柔軟性は、ユーザが、２つのデバイス１１４、２０２が、充電配置にある間、メッセージを通信するための単一ユーザインターフェースを選択することを可能にする。
【００７４】
随意に、ラップトップ２０２のユーザは、ディスプレイ画面１３０２上において、ラップトップ２０２と充電配置にある、携帯電話１デバイス１１４のグラフィカル表現１３１０を視認することができる。ラップトップ２０２のユーザは、それによって、グラフィカル表現１３１０内において、携帯電話１デバイス１１４に対応する情報を視認することができる。例えば、インジケータ１３２４は、アイコン１３２２に関して前述の議論同様に、携帯電話１デバイス１１４およびラップトップ２０２が、密結合された充電配置または疎結合された充電配置にあることを示すことができる。
【００７５】
加えて、ディスプレイ画面１３０２上の携帯電話１デバイス１１４のグラフィカル表現１３１０内のダイアログボックス１３２８は、携帯電話１デバイス１１４の再充電可能バッテリ７１０の現在の充電ステータスの充電指標情報を提供する。例えば、ダイアログボックス１３２８は、携帯電話１デバイス１１４の再充電可能バッテリ７１０が、バッテリの総充電の約７２％であることを示す。
【００７６】
さらに、一連のメッセージ１３１２、１３１４、１３１６、１３１８が、ラップトップ２０２のユーザが、例えば、ラップトップ２０２と充電配置にある間、携帯電話１デバイス１１４を介して通信される、テキストメッセージングのスレッドを視認することができるように、携帯電話１デバイス１１４のグラフィカル表現１３１０内に示される。加えて、携帯電話１デバイス１１４のグラフィカル表現１３１０内のダイアログボックス１３２０は、ラップトップ２０２のディスプレイ画面１３０２上に、携帯電話１デバイス１１４に関するメッセージング情報を通信する別の手段を提供する。
【００７７】
図１４を参照すると、図１に示される通信システムのための動作シーケンスが、例証される。ステップ１４０２において、動作シーケンスを開始後、ラップトップパーソナルコンピュータ（ラップトップＰＣ）２０２は、ステップ１４０４において、ラップトップパーソナルコンピュータ２０２に近接する携帯電話１１４を検出する。ステップ１４０４において、検出されると、ラップトップＰＣ２０２は、ステップ１４０６において、携帯電話１１４とＰＣ２０２との間に通信プロトコルを確立する。ステップ１４０８において、ＰＣ２０２は、携帯電話１１４がＰＣ２０２に整合されるかどうかを検証し、携帯電話は、ＰＣ２０２が携帯電話１１４に整合されるかどうかを検証する。ステップ１４０８において、両デバイスによって決定される整合が、失敗する場合、動作シーケンスは、ステップ１４１０において、終了する。
【００７８】
２つのデバイスが、ステップ１４０８において、整合すると決定されると、ラップトップＰＣ２０２は、ステップ１４１２において、携帯電話のユーザインターフェースが最後にロック解除された時間から経過した時間を決定する。ステップ１４１２において、携帯電話１１４が最後にロック解除された時間から経過した時間が、所定の値未満である場合、ＰＣ２０２は、ステップ１４１４において、携帯電話１１４が最後にロック解除された時間が、生体認証またはパスワード情報を使用することによるものだったかどうかを決定する。
【００７９】
ステップ１４１４において、携帯電話１１４のユーザインターフェースが最後にロック解除された時間が、携帯電話１１４のロック解除するための生体認証またはパスワードアクセスのうちの１つであることに失敗した場合、動作シーケンスは、１４１０において、終了する。ステップ１４１４において、携帯電話１１４のユーザインターフェースのロック解除が、パスワードによるものだった場合、ＰＣ２０２は、ステップ１４１６において、限定されたアクセスによって、そのユーザインターフェースの少なくとも一部をロック解除し、ステップ１４１８において、携帯電話デバイス１１４へのアクセスのためのパスワードを要求する。ステップ１４２０において、パスワードが、誤って入力される場合、動作シーケンスは、１４１０において、終了する。しかしながら、ステップ１４２０において、パスワードが、正しく入力される場合、動作シーケンスは、ステップ１４２２において、携帯電話デバイス１１４への完全またはフルアクセスによって、ＰＣのユーザインターフェースの少なくとも一部のロック解除を進める。ステップ１４１４において、携帯電話のユーザインターフェースが、最後にロック解除された時間が、生体認証アクセスによるものだった場合、ＰＣは、ステップ１４２２において、携帯電話１１４への完全またはフルアクセスによって、そのユーザインターフェースの少なくとも一部のロック解除を進める。
【００８０】
ステップ１４２２において、ＰＣユーザインターフェースが、携帯電話への完全またはフルアクセスによってロック解除された後、ステップ１４２４において、携帯電話とラップトップＰＣとの間の機能が、必要に応じて同期される。最後に、別個の充電動作シーケンス（例えば、図１５を参照して以下に論じられる）が、ステップ１４２６において、開始され、次いで、本動作シーケンスは、１４１０において、終了する。
【００８１】
一実施例によると、電源デバイスは、電力充電デバイスから受信した情報からの、電力充電デバイスが、現在ロック解除されているユーザインターフェース、および少なくとも、所定の時間の間、ロック解除されているユーザインターフェースのうちの少なくとも１つを有することの決定に基づいて、ユーザインターフェースをロック解除し、ユーザインターフェースの少なくとも一部にユーザをアクセスさせるように構成される、充電電力プロセッサを含む。
【００８２】
充電動作シーケンスは、図１５に例証される。ステップ１４２６において、充電シーケンスが、開始されると、充電シーケンスは、ステップ１５０２において、開始され、次いで、ステップ１５０４において、携帯電話充電パラメータの決定に進む。充電パラメータは、ステップ１５０６において、デバイス１１４、１１２間で同期される。例えば、充電エネルギー信号振幅、充電エネルギー信号通過帯域共鳴周波数、共鳴誘導コイル場所、および該当する他の共鳴誘導結合構成パラメータが、デバイス１１４、１１２間で同期される。
【００８３】
携帯電話１１４は、次いで、メッセージングステータス更新を通信システム１００のためのサーバ（例えば、図１に示される、ＮＯＣ１０２）に送信する。ステップ１５０６において、携帯電話１１４が、メッセージングステータス更新をサーバ１０２に送信すると、サーバ１０２は、メッセージ同期データベース１１０における携帯電話記録２００５内のデバイスリンク１フィールド２０１２およびステータスフィールド２０１４を更新されたデバイスリンク１フィールド２０１２および更新されたステータスフィールド２００５で更新する。例えば、デバイスリンク１フィールド２０１２は、ラップトップＰＣ１１２を識別し、ステータスフィールド２００５は、携帯電話１１４が、ラップトップＰＣ１１２と充電配置にあることを示すように設定することができる。
【００８４】
加えて、ラップトップＰＣ記録２００７は、更新されたデバイスリンク２フィールド２０２６（携帯電話１１４を識別する）および更新されたステータスフィールド２０２８で更新され、ラップトップＰＣ１１２が、携帯電話１１４と充電配置にあることを示すことができる。ＰＣ１１２および携帯電話１１４に対応する他の関連情報もまた、追加のフィールドにおいて、それぞれの記録２００５、２００７内に記憶され得る。
【００８５】
ある実施形態では、携帯電話記録２００５およびＰＣ記録２００７の更新は、電子メールサーバ１０８と通信的に結合される、メッセージ同期データベース１１０’において、またはＢｌａｃｋＢｅｒｒｙ電子メールサーバ１１１と通信的に結合される、メッセージ同期データベース１１０’’において行われ得ることに留意されたい。さらに、ある実施形態によると、ラップトップＰＣ１１２は、メッセージングステータス更新をサーバに送信し得ることを理解されたい。メッセージングステータス更新は、ラップトップＰＣ１１２または携帯電話１１４によって送信されるかどうかに関わらず、種々の実施形態によると、ラップトップＰＣ１１２、携帯電話１１４、または両方に関する種々の異なる情報を示すことができる。そのようなステータス更新は、例えば、デバイス１１２、１１４が、充電配置にあることを示し得る。また、別の実施例によると、デバイス１１２、１１４のいずれかによって送信されるステータス更新は、デバイス１１２、１１４の一方が、無線ネットワークＮ１  １０６を介して、メッセージを受信していないことを示し得る。さらに、別の実施例によると、デバイス１１２、１１４のいずれかによって送信されるステータス更新は、デバイスの一方または両方が、アカウント、例えば、サーバに関連付けられるアカウントに関連付けられることを示し得る。加えて、別の実施例によると、デバイス１１２、１１４のいずれかによって送信されるステータス更新は、デバイス１１２、１１４の一方が、デバイス１１２、１１４の一方に関連付けられる特定のアカウントに関連付けられる、無線ネットワークＮ１  １０６（または、別のネットワーク）を介して、メッセージを受信していないことを示し得る。
【００８６】
デバイス１１４、１１２が、ステップ１５０６において、相互に同期後、動作シーケンスは、ステップ１５０８において、充電アルゴリズムを行うことに進む。ステップ１５０８における、充電アルゴリズムは、例えば、２つのデバイス１１２、１１４が、それぞれのコイル９０２、９０４のためのその最適配置（密結合された配置）に位置するのを補助する、シーケンスを含み得る。本最適充電配置位置付けプロセスの実施例は、図９および１０を参照して前述されている。
【００８７】
デバイス１１２、１１４が、密結合された充電配置となった後、充電シーケンスは、次いで、ラップトップＰＣ１１２からの携帯電話１１４の再充電可能バッテリ７１０の充電に進むことができる。充電が、ステップ１５１０において、完了したと決定されると、携帯電話１１４は、ステップ１５１２において、メッセージングステータス更新メッセージをサーバ１０２に送信し、動作シーケンスは、１５１４において、終了する。ある実施形態では、メッセージングステータス更新メッセージは、メッセージ同期データベース１１０’と通信的に結合される、電子メールサーバ１０８に、および／またはメッセージ同期データベース１１０’’と通信的に結合される、ＢｌａｃｋＢｅｒｒｙ電子メールサーバ１１１に送信されることに留意されたい。
【００８８】
サーバ１０２は、ステップ１５１２における、携帯電話１１４からのメッセージングステータス更新メッセージの受信に応じて、携帯電話デバイス１１４およびラップトップパーソナルコンピュータ１１２のためのそれぞれの記録２００５、２００７を更新する。このように、通信システム１００内のサーバ１０２は、携帯電話１１４およびラップトップＰＣ１１２およびデバイスが充電配置にある場合を追跡することができる。随意に、同様に、電子メールサーバ１０８およびＢｌａｃｋＢｅｒｒｙ電子メールサーバ１１１は、携帯電話１１４およびラップトップＰＣ１１２およびデバイスが充電配置にある場合を追跡することができる。
【００８９】
携帯電話１１４およびラップトップＰＣ１１２が、充電配置にある場合、動作シーケンスは、図１６の実施例に示されるように継続され得る。動作シーケンスは、ステップ１６０２において、開始され、次いで、携帯電話１１４は、ステップ１６０４において、無線通信ネットワーク１０６を監視する。携帯電話１１４が、ステップ１６０６において、メッセージを受信したと決定する場合、携帯電話１１４は、ステップ１６０８において、メモリ８０４内にメッセージを記憶する。
【００９０】
ステップ１６１０において、受信したメッセージが、電子メールメッセージである場合、携帯電話１１４は、ステップ１６１２において、電子メールアカウントが、ステップ１６１２において、ラップトップＰＣ１１２上において、ユーザによって監視されているかどうか決定する。例えば、携帯電話１１４と通信的に結合される、メッセージ同期データベース１１０’’’’において、電子メールアカウントがまた、ＰＣ１１２のためのデータベース記録２００７内のアカウント識別１フィールド２０３０およびアカウント１ステータスフィールド２０３２によっても示されるように、ＰＣ１１２によって共有されているかどうか決定するために、携帯電話１１４のためのデータベース記録２００５内のアカウント識別１フィールド２０１６およびアカウントステータスフィールド２０１８が、携帯電話１１４によって確認される。アカウントステータスフィールド２０１８、２０３２は、電子メールアカウントが、ラップトップＰＣ１１２および携帯電話１１４上において、ユーザによって監視されているかどうかを示す。ラップトップＰＣ１１２上において、ユーザによって監視されていない場合、電子メールメッセージは、通常、携帯電話デバイス１１４によって処理され、次いで、動作シーケンスは、ステップ１６０４において、携帯電話デバイス１１４によって、無線ネットワーク１０６の監視を継続する。
【００９１】
しかしながら、ステップ１６１２において、電子メールアカウントが、ラップトップＰＣ１１２上において、ユーザによって監視されているが、携帯電話デバイス１１４上ではそうではない場合、携帯電話デバイス１１４は、ステップ１６１４において、ＰＣディスプレイモニタのディスプレイ画面１３０２（図１３参照）上に表示される、電子メールメッセージをラップトップＰＣ１１２に転送する。動作シーケンスは、次いで、ステップ１６１６において、終了する。前述のように、ラップトップＰＣ１１２は、ディスプレイ画面１３０２上のダイアログボックス１３０８によって、電子メールメッセージ情報をユーザに表示することができる。代替として、ラップトップＰＣ１１２は、ディスプレイ画面１３０２上に表示される、携帯電話デバイス１１４のグラフィカル表現１３１０内に電子メールメッセージ情報を表示することができる。例えば、図１３を参照されたい。メッセージ情報は、メッセージ１３１２、１３１４、１３１６、１３１８のシーケンスとして、または携帯電話デバイス１１４のグラフィカル表現１３１０におけるイアログボックス１３２０内のメッセージ情報として、提示することができる。
【００９２】
代替実施形態によると、ＰＣ１１２は、第２のネットワークＮ２  １０４から受信した電子メールメッセージを監視する。次いで、電子メールメッセージの受信に応じて、ＰＣ１１２は、電子メールアカウントが、ラップトップＰＣ１１２上において、ユーザによって監視されているかどうか、および携帯電話１１４上において監視されていないかどうかを決定する。例えば、ＰＣ１１２と通信的に結合される、メッセージ同期データベース１１０’’’内のデータベース記録２００７は、ＰＣ１１２が、電子メールアカウント２０３０からの電子メールメッセージを受信しており、携帯電話１１４が、電子メールアカウント２０３０からの電子メールメッセージを受信していないことを示す、アカウントステータスフィールド２０３２を示し得る。ラップトップＰＣ１１２上において、ユーザによって監視されているが、携帯電話１１４上ではそうではない場合、電子メールメッセージは、ＰＣディスプレイモニタのディスプレイ画面１３０２上に表示される。さらに、ＰＣ１１２は、携帯電話１１４との短距離通信を使用して、携帯電話１１４のディスプレイ上に表示せずに、携帯電話１１４内への記憶のために、電子メールメッセージを携帯電話１１４に伝達する。
【００９３】
加えて、メッセージ同期データベース１１０は、サーバ１０２によって監視され得、それによって、サーバ１０２は、第１のネットワークＮ１  １０６を介して、携帯電話１１４への電子メールメッセージの無線伝送を抑止する。このように、サーバ１０２は、第２のネットワークＮ２  １０４を介して、ＰＣ１１２に送信され、短距離通信リンク１１５を介して、ＰＣ１１２から携帯電話１１４に伝達されている、携帯電話１１４への重複電子メールメッセージの無線伝送を回避する。これは、無線ネットワーク１０６のリソース利用を向上させ、および第１のネットワークＮ１  １０６内のメッセージング処理量を増加させる。
【００９４】
さらに、メッセージ同期データベース１１０’と通信的に結合される、電子メールサーバ１０８に関する実施形態では、電子メールサーバ１０８は、ＮＯＣ１０２への電子メールメッセージの伝送を抑止し、それによって、第１のネットワークＮ１  １０６を介して、携帯電話１１４への電子メールメッセージの無線伝送を回避する。同様に、メッセージ同期データベース１１０’’と通信的に結合される、ＢｌａｃｋＢｅｒｒｙ電子メールサーバ１１１に関する実施形態では、ＢｌａｃｋＢｅｒｒｙ電子メールサーバ１１１は、ＮＯＣ１０２への電子メールメッセージの伝送を抑止し、それによって、第１のネットワークＮ１  １０６を介して、携帯電話１１４への電子メールメッセージの無線伝送を回避する。
【００９５】
図１７を参照すると、図１の通信システム１００内のサーバ１０２による動作シーケンスの実施例が、示される。動作シーケンスは、ステップ１７０２において、開始され、次いで、サーバ１０２は、ステップ１７０４において、携帯電話デバイス１１４からのステータス更新の受信を監視する。サーバ１０２が、ステップ１７０４において、携帯電話デバイス１１４からのステータス更新を受信する場合、サーバ１０２は、ステップ１７０６において、メッセージ同期データベース１１０内の携帯電話デバイスの記録１１６を更新する。
【００９６】
代替として、サーバ１０２は、ステップ１７０８において、ステータス更新をラップトップＰＣ１１２から受信したかどうか確認する。サーバが、ステップ１７０８において、ステータス更新をラップトップＰＣ１１２から受信した場合、サーバ１０２は、メッセージ同期データベース１１０内のラップトップＰＣの記録２００７を更新する（図２０参照）。
【００９７】
随意に、サーバ１０２が、ステップ１７０６において、携帯電話デバイスの記録２００５を更新した場合、またはステップ１７１０において、ラップトップＰＣの記録２００７を更新した場合、サーバ１０２は、一実施形態によると、加えて、それと充電配置にある、他方のデバイス２００７、２００５の関連付けられた記録を更新し得る。すなわち、サーバ１０２は、携帯電話デバイス１１４およびラップトップＰＣ１１２に対する両記録を同時に更新し得る。
【００９８】
電子メールサーバ１０８が、メッセージ同期データベース１１０’と通信的に結合される、実施形態では、電子メールサーバ１０８は、更新メッセージを携帯電話１１４および／またはＰＣ１１２から受信し得ることに留意されたい。前述の議論と同様に、電子メールサーバ１０８は、メッセージ同期データベース１１０’内のデータベース記録２００５、２００７を更新し得る。
【００９９】
また、ＢｌａｃｋＢｅｒｒｙ電子メールサーバ１１１が、メッセージ同期データベース１１０’’と通信的に結合される、実施形態では、ＢｌａｃｋＢｅｒｒｙ電子メールサーバ１１１は、更新メッセージを携帯電話１１４および／またはＰＣ１１２から受信し得る。前述の議論と同様に、ＢｌａｃｋＢｅｒｒｙ電子メールサーバ１１１は、メッセージ同期データベース１１０’’内のデータベース記録２００５、２００７を更新し得る。
【０１００】
本実施例を継続すると、サーバ１０２が、ステップ１７１２において、電子メールサーバ１０８が、携帯電話デバイス１１４に送信するための電子メールメッセージを有すると決定すると、サーバ１０２はさらに、ステップ１７１４において、メッセージング同期データベース１１０における記録２００５内の携帯電話デバイスのステータス２０１４が、メッセージを受信するためのメッセージングステータスを示すかどうかを決定する。指標が、ステップ１７１４において、携帯電話デバイス１１４が、メッセージを受信しているものである場合、サーバ１０２は、ステップ１７１６において、電子メールメッセージを電子メールサーバ１０８から携帯電話デバイス１１４に送信する。
【０１０１】
しかしながら、記録２００５内の携帯電話デバイス２０１４のステータスが、ステップ１７１４において、携帯電話デバイス１１４が、電子メールメッセージを受信していないことを示す場合、サーバ１０２は、携帯電話デバイス１１４による受信対象の電子メールメッセージの伝送を抑止する。
【０１０２】
サーバ１０２は、ステップ１７１８において、メッセージング同期データベース１１０における記録２００７内のパーソナルコンピュータステータス２０２８を確認し、ラップトップＰＣ１１２が、メッセージを受信しているかどうかを決定する。ラップトップＰＣ１１２が、ステップ１７１８において、メッセージを受信している場合、サーバ１０２は、ステップ１７２０において、電子メールメッセージを、例えば、電子メールサーバ１０８からラップトップＰＣ１１２に送信し、次いで、ステップ１７２２において、動作シーケンスを終了する。
【０１０３】
しかしながら、メッセージング同期データベース１１０における記録２００７内のパーソナルコンピュータステータス２０２８が、ステップ１７１８において、ラップトップＰＣ１１２が、電子メールメッセージを受信していないことを示す場合、サーバ１０２は、ラップトップＰＣ１１２による受信対象の電子メールメッセージの伝送を抑止する。
【０１０４】
サーバ１０２は、充電配置にある、２つのデバイス１１２、１１４に送信される、メッセージの重複伝送を積極的に管理し、削減することができることに留意されたい。すなわち、ユーザが、両デバイス１１２、１１４のために、単一ユーザインターフェースを使用している間、サーバ１０２は、受信電子メールメッセージを受信している、一方のデバイス（デバイス１１２、１１４のいずれか一方）にのみ電子メールメッセージの伝送を限定することができる。デバイス１１２、１１４は、随意に、短距離無線通信リンク１１５を使用して、２つのデバイス間で受信したメッセージを同期および伝送し得る。デバイス１１２、１１４とサーバ１０２と間の本メッセージ受信ステータス同期機構は、種々のネットワーク１０４、１０６を介して、送達されるメッセージの重複伝送の量を削減する。それによって、種々のネットワーク１０４、１０６の通信チャネルのためのメッセージ処理量を増加させ、通信システム動作をより効率的にすることができる。加えて、種々の実施形態によると、受信したメッセージの記憶のために使用されるであろうメモリ消費の削減および／または例えば、無線通信を介したメッセージの受信のためのバッテリ消費の削減等、電子メールメッセージを受信していないステータスを有するデバイスによって使用される、リソースの量を削減することができる。特に、限定されたメッセージ処理量ネットワーク、例えば、無線ネットワークＮ１  １０６では、メッセージの無線伝送の数を減少させることによって、無線ネットワークＮ１のための全体的メッセージング処理量を増加させる。また、無線ネットワークＮ１  １０６における他の情報のより効率的伝送のために、ネットワークリソースを利用可能にすることができる。
【０１０５】
最後に、前述の議論に照らして、電子メールサーバ１０８が、メッセージ同期データベース１１０’と通信的に結合される、実施形態では、電子メールサーバ１０８は、充電配置にある、２つのデバイス１１２、１１４に送信される、メッセージの重複伝送を積極的に管理し、削減することができることを理解されたい。同様に、ＢｌａｃｋＢｅｒｒｙ電子メールサーバ１１１が、メッセージ同期データベース１１０’’と通信的に結合される、実施形態では、ＢｌａｃｋＢｅｒｒｙ電子メールサーバ１１１は、充電配置にある、２つのデバイス１１２、１１４に送信される、メッセージの重複伝送を積極的に管理し、削減することができる。
【０１０６】
図１８および１９は、一実施形態による、スマートフォン１１４をＰＣデバイス１１２から充電するための全体的動作シーケンスの一部を構成する。図１８を参照すると、動作シーケンスは、ステップ１８０２から開始し、ステップ１８０４において、スマートフォン１１４が、パーソナルコンピュータ１１２に近接して位置しているかどうかの決定に進む。次いで、デバイス１１２、１１４は、ステップ１８０６において、短距離通信送受信機７１４、７２６を介して、通信リンク１１５を確立し、無線充電プロトコルに進む。
【０１０７】
パーソナルコンピュータ（ＰＣ）１１２は、ステップ１８０８において、スマートフォン１１４との通信によって、スマートフォンバッテリ７１０のバッテリレベルを決定する。次いで、ステップ１８１０において、ＰＣ１１２は、ステップ１８１０において、ＡＣコンセントに差し込まれているかどうかを決定する。ＰＣ１１２が、ステップ１８１０において、ＡＣコンセントに差し込まれている場合、ＰＣ１１２は、ステップ１８１６において、スマートフォン１１４を最大充電プロトコルに従って、スマートフォンのバッテリを１００％の容量まで充電する。動作シーケンスは、次いで、ステップ１８２２において、スマートフォンバッテリ７１０の受電を開始し、次いで、動作シーケンスは、ステップ１８２４において、終了する。
【０１０８】
しかしながら、ＰＣ１１２が、ステップ１８１０において、ＡＣコンセントに差し込まれていない場合、ＰＣ１１２は、ステップ１８１２において、ＰＣバッテリ４０の残りの充電を決定し、パーソナルコンピュータ１１２から充電するために、閾値設定および充電パラメータを確認する。パーソナルコンピュータ１１２が、ステップ１８１４において、スマートフォン１１４を最大限（その再充電可能バッテリ７１０の１００％）まで充電することは、ＰＣバッテリ４０４の残りの充電のある割合閾値未満を消費するであろうと決定する場合、パーソナルコンピュータ１１２は、ステップ１８１６において、最大１００％までのスマートフォン１１４の充電を設定する。ＰＣ１１２は、次いで、ステップ１８２２において、スマートフォンバッテリ７１０の受電を開始し、ステップ１８２４において、動作シーケンスを終了する。
【０１０９】
しかしながら、パーソナルコンピュータ１１２が、ステップ１８１４において、そのバッテリ７１０の容量の実質的に１００％までスマートフォンを充電することは、パーソナルコンピュータバッテリ４０４の残りの充電の少なくとも所定の閾値割合を消費するであろうと決定する場合、パーソナルコンピュータ１１２は、ステップ１８１８において、本条件のための閾値設定が存在するかどうか決定する。ステップ１８１８において、閾値設定が存在する場合、パーソナルコンピュータ１１２は、ステップ１８２０において、スマートフォンバッテリ７１０のある割合を充電するために使用される、パーソナルコンピュータバッテリ４０４の充電の割合を設定し、次いで、ステップ１８２２において、スマートフォンバッテリ７１０の充電を開始する。次いで、ＰＣ１１２は、ステップ１８２４において、動作シーケンスを終了する。
【０１１０】
しかしながら、ＰＣ１１２が、ステップ１８１８において、本条件のための閾値設定を見つけられない場合、パーソナルコンピュータ１１２は、ステップ１８２６において、ユーザに、スマートフォンバッテリ７１０の充電を開始するかどうか尋ねる。パーソナルコンピュータ１１２は、ステップ１８２６において、ユーザに、ダイアログボックス１３０８内にメッセージを伴う、グラフィカルディスプレイ１３０２を介して、ダイアログを表示する。ユーザは、次いで、パーソナルコンピュータ１１２におけるユーザ入力デバイスを介して、例えば、キーボード２１０を介して、ユーザ入力情報を入力することによって、応答し得る。
【０１１１】
ユーザが、ステップ１８２６において、パーソナルコンピュータ１１２に、スマートフォンデバイス１１４の充電を開始するように命令する場合、パーソナルコンピュータは、ステップ１８２２において、充電シーケンスを開始し、次いで、ステップ１８２４において、動作シーケンスを終了する。代替として、ユーザが、ステップ１８２６において、パーソナルコンピュータ１１２に、スマートフォンバッテリ７１０の充電を開始するように、肯定的に命令しない場合、パーソナルコンピュータ１１２は、ステップ１８２８において、スマートフォン１１４を充電せず、ステップ１８２４において、動作シーケンスを終了する。
【０１１２】
図１９を参照すると、動作シーケンスは、ステップ１９０２において開始され、ステップ１９０４において、設定された充電パラメータおよび閾値に従って、スマートフォンバッテリ７１０の充電に進む。ステップ１９０６において、スマートフォンバッテリ７１０を充電する間、スマートフォン１１４内の電力コントローラ７０６は、センサ７１２を使用して、スマートフォンのバッテリ７１０の充電のレベルを監視し、スマートフォン１１４は、ステップ１９０６において、（例えば、短距離無線通信を介して）バッテリレベルデータをパーソナルコンピュータ１１２に送信する。パーソナルコンピュータ１１２は、ステップ１９０８において、ＰＣモニタディスプレイ画面１３０２上において、スマートフォンバッテリレベルデータをユーザに表示する。動作シーケンスは、次いで、ステップ１９１０において、終了する。
【０１１３】
情報処理システム
本主題は、ハードウェア、ソフトウェア、またはハードウェアおよびソフトウェアの組み合わせにおいて、実現することができる。コンピュータシステムは、１つのコンピュータシステムにおける集中方式において、または異なる要素が、いくつかの相互接続されたコンピュータシステムにわたって拡散される、分散方式において、実現することができる。任意の種類のコンピュータシステムまたは本明細書に説明される方法を行うように適応された他の装置が、好適である。ハードウェアおよびソフトウェアの典型的組み合わせは、ロードされ実行されると、本明細書に説明される方法を行うように、コンピュータシステムを制御する、コンピュータプログラムを伴う、汎用コンピュータシステムであり得る。
【０１１４】
本主題はまた、本明細書に説明される方法の実装を可能にするすべての特徴を備え、コンピュータシステム内にロードされると、これらの方法を行うことが可能である、コンピュータプログラム製品内に具現化することができる。本文脈におけるコンピュータプログラムは、情報処理能力を有するシステムに、直接、または、ａ）別の言語、コード、または表記への変換、および、ｂ）異なる材料形態における複製の一方または両方の後のいずれかにおいて、特定の機能を果たさせるように意図された一式の命令の任意の言語、コード、または表記における、任意の表現を意味する。
【０１１５】
各コンピュータシステムは、とりわけ、１つ以上のコンピュータと、コンピュータに、データ、命令、メッセージ、またはメッセージパケット、およびコンピュータ可読媒体からの他のコンピュータ可読情報を読み取らせる、少なくともコンピュータ可読媒体とを含み得る。コンピュータ可読媒体は、非一時的媒体、例えば、不揮発性メモリを具現化する、コンピュータ可読貯蔵媒体、例えば、読取専用メモリ（ＲＯＭ）、フラッシュメモリ、ディスクドライブメモリ、ＣＤ−ＲＯＭ、および他の永久的記憶装置を含み得る。加えて、非一時的媒体は、揮発性記憶装置、例えば、ＲＡＭ、バッファ、キャッシュメモリ、およびネットワーク回路を含み得る。さらに、ある代替実施形態によると、コンピュータ可読媒体は、一時的状態媒体内のコンピュータ可読情報、例えば、コンピュータに、そのようなコンピュータ可読情報を読み取らせる、有線ネットワークまたは無線ネットワークを含む、ネットワークリンクおよび／またはネットワークインターフェースを備え得る。
【０１１６】
無線通信デバイス実施例
Ａ）本開示の種々の実施形態による無線通信デバイスであって、
再充電可能電源と、
再充電可能電源によって給電される電子回路と、
共鳴周波数を中心とする通過帯域を有する誘導無線電力受信回路であって、誘導無線電力受信回路は、再充電可能電源と電気的に結合され、実質的に共鳴周波数を中心とする通過帯域内にある周波数を有する充電エネルギー信号を無線で受信し、充電エネルギーを受信した充電エネルギー信号から再充電可能電源に選択的に結合する、誘導無線電力受信回路と、
誘導無線電力受信回路と通信的に結合されている充電電力コントローラと
を備え、
充電電力コントローラは、無線通信デバイスが電源デバイスと充電配置にあることの決定に基づいて、誘導無線電力受信回路を制御することにより、充電エネルギーを受信した充電エネルギー信号から再充電可能電源に伝達するように構成されている、
無線通信デバイス。
【０１１７】
Ｂ）
充電電力コントローラと通信的に結合されている短距離無線通信送受信機をさらに備え、充電電力コントローラは、
短距離無線通信送受信機を介して電源デバイスと通信することと、
再充電可能電源の充電ステータスの指標を電源デバイスに提供することと
を行うようにさらに構成されている、Ａ）の無線通信デバイス。
【０１１８】
Ｃ）
充電電力コントローラと通信的に結合されている短距離無線通信送受信機をさらに備え、充電電力コントローラは、
短距離無線通信送受信機を介して電源デバイスと通信し、電源デバイスに、受信した充電エネルギー信号の値の指標を提供するようにさらに構成されている、Ａ）の無線通信デバイス。
【０１１９】
Ｄ）
充電電力コントローラは、電源デバイスに、短距離無線通信送受信機を介して受信した充電エネルギー信号の現在の値の指標を繰り返し提供する、Ｃ）の無線通信デバイス。
【０１２０】
Ｅ）
充電電力コントローラと通信的に結合されているユーザインターフェースをさらに備え、充電電力コントローラは、
ユーザインターフェースに、受信した充電エネルギー信号の値の指標を提供するようにさらに構成されている、Ａ）の無線通信デバイス。
【０１２１】
Ｆ）
充電電力コントローラは、
ユーザインターフェースに、受信した充電エネルギー信号の値の視覚表現を提供するようにさらに構成されている、Ｅ）の無線通信デバイス。
【０１２２】
Ｇ）
視覚表現は、受信した充電エネルギー信号の値を表す棒グラフを含む、Ｆ）の無線通信デバイス。
【０１２３】
Ｈ）
充電電力コントローラと通信的に結合されているユーザインターフェースをさらに備え、充電電力コントローラは、
受信した充電エネルギー信号の監視された値に基づいて、無線通信デバイスが電源デバイスと充電配置にあるかどうかを決定することと、
ユーザインターフェースに、無線通信デバイスが電源デバイスと充電配置にあるかどうかの決定の指標を提供することと
を行うようにさらに構成されている、請求項Ａ）の無線通信デバイス。
【０１２４】
Ｉ）
充電電力コントローラは、
ユーザインターフェースに、無線通信デバイスが電源デバイスと充電配置にあるかどうかの決定を示す視覚インジケータを提供するように構成されている、Ｈ）の無線通信デバイス。
【０１２５】
Ｊ）
充電電力コントローラと通信的に結合されている短距離無線通信送受信機をさらに備え、
充電電力コントローラは、
短距離無線通信送受信機を介して電源デバイスと通信することと、
無線通信デバイスが電源デバイスと充電配置にあることの決定に応答して、短距離無線通信送受信機によって、少なくとも１つの情報信号を無線で受信することと
を行うようにさらに構成され、
少なくとも１つの情報信号は、電源デバイスによって受信され、無線通信デバイスに転送されるメッセージを含んでいる、Ａ）の無線通信デバイス。
【０１２６】
Ｋ）
充電電力コントローラと通信的に結合されている短距離無線通信送受信機と、
充電電力コントローラと通信的に結合されている長距離無線通信送受信機と、
をさらに備え、充電電力コントローラは、
短距離無線通信送受信機を介して電源デバイスと通信し、電源デバイスに、長距離無線通信送受信機を介して無線通信デバイスによって受信したメッセージ情報の表現を提供するようにさらに構成されている、Ａ）の無線通信デバイス。
【０１２７】
Ｌ）
電源デバイスは、パーソナルコンピュータを備え、無線通信デバイスは、携帯電話を備えている、Ｋ）の無線通信デバイス。
【０１２８】
非限定的実施例
本主題の具体的実施形態が、開示されたが、当業者は、本開示される主題の精神および範囲から逸脱することなく、具体的実施形態に変更を行うことができることを理解するであろう。したがって、本開示の範囲は、具体的実施形態に限定されるべきではなく、添付の請求項は、本開示の範囲内のあらゆるそのような用途、修正、および実施形態を網羅することが意図される。
【図１】
0005634471.tif 000002
【図２】
0005634471.tif 000003
【図３】
0005634471.tif 000004
【図４】
0005634471.tif 000005
【図５】
0005634471.tif 000006
【図６】
0005634471.tif 000007
【図７】
0005634471.tif 000008
【図８】
0005634471.tif 000009
【図９】
0005634471.tif 000010
【図１０】
0005634471.tif 000011
【図１１】
0005634471.tif 000012
【図１２】
0005634471.tif 000013
【図１３】
0005634471.tif 000014
【図１４】
0005634471.tif 000015
【図１５】
0005634471.tif 000016
【図１６】
0005634471.tif 000017
【図１７】
0005634471.tif 000018
【図１８】
0005634471.tif 000019
【図１９】
0005634471.tif 000020
【図２０】
0005634471.tif 000021